(57)【特許請求の範囲】
【請求項１】
情報提供を受ける利用者装置、前記利用者装置に情報を提供する情報提供装置、及び前記情報提供装置から前記利用者装置への情報提供に必要な情報を管理する接続管理装置をネットワーク環境により相互に通信可能に接続し、
前記利用者装置は、前記ネットワークへの接続開始時に、接続情報を前記接続管理装置に送信し前記情報提供装置からの情報を受信する利用者処理部を備え、
前記情報提供装置は、前記接続管理装置より取得した利用者の接続情報に基づき、前記利用者装置に情報を送信する情報提供処理部を備え、
前記利用者装置の利用者処理部は、
前記接続管理装置に対して、オープンネットワークへの接続開始時に、アクセス許可情報として自己のＩＤコード、ネットワークアドレス、及び情報受信チャネルのパスワードを含む接続情報を送信して前記接続管理装置のデータベースに登録させ、オープンネットワークからの接続終了時に接続終了通知を送信して前記接続情報を前記データベースから削除させる接続情報処理部と、
自己のＩＤコード、提供情報の種類、及び情報の受信を許可する受信チャネルの各々を指定した公開個人情報を編集し、前記接続管理装置に対して、オープンネットワークへの接続開始時に前記アクセス許可情報の一部として、編集済みの前記公開個人情報を前記接続管理装置に送信して前記データベースに登録させる公開個人情報処理部と、
前記公開個人情報の送信に伴い前記接続管理装置から送られてくる前記提供情報の種類に応じた特化個人情報の登録フォーマットを編集し、前記情報提供装置からの登録フォーマットの送信要求に対し編集済みの前記登録フォーマットを送信して前記情報提供装置のデータベースに登録させる特化個人情報処理部と、
前記特化個人情報の登録後に前記情報提供装置からの提供情報を受信して表示させる受信表示部と、
とからなり、
前記接続管理装置の接続管理処理部は、
前記利用者装置のオープンネットワークへの接続開始時に送信された前記接続情報を前記データベースに登録すると共に、接続終了通知を受けた際に前記データベースから該当する接続情報を削除する接続情報管理部と、
前記利用者装置から送信された前記公開個人情報を前記データベースに更新登録する公開個人情報管理部と、
前記公開個人情報で指定された前記提供情報の種類に応じ予め定められた前記特化個人情報の登録フォーマットを前記利用者装置に送信する登録フォーマット提供部と、
前記情報提供装置から情報提供を希望する利用者の検索要求を受けた際に、前記データベースを参照してアクセス許可を指定している利用者装置のＩＤコード、提供を受けようとする情報の種類、及び予め登録済みの公開許可に基づき個人情報を応答する利用者検索応答部と、
前記情報提供装置から特定の利用者装置のＩＤコードを指定した前記接続情報の検索要求を受けた際に、前記データベースを参照して該当する接続情報を読み出し、且つ前記データベースの接続許可情報の参照により接続情報の公開許可の項目と公開拒否の項目を認識し、公開拒否の項目についてはマスク処理を施して前記接続情報を応答する接続情報検索応答部と、
からなり、
前記情報提供装置の情報提供処理部は、
前記接続管理装置にアクセス許可を指定している利用者のＩＤコード、提供を受けようとする情報の種類、および公開を許可している個人情報の検索を要求する利用者検索要求部と、
前記利用者検索要求部で取得した特定のＩＤコードを使用して前記接続管理装置に利用者装置の接続情報の検索を要求する接続情報検索要求部と、
前記接続情報検索要求部で取得した接続情報に基づいて、前記利用者装置に特化個人情報の送信を要求してデータベースに登録する特化個人情報管理部と、
前記データベースの特化個人情報に適合する提供情報が得られた際に、前記接続情報検索要求部の作動により取得した接続情報に基づいて、利用者装置に前記提供情報を送信する提供情報管理部と、
からなることを特徴とするオープンネットワーク環境を利用した情報管理システム。
【請求項２】
請求項１記載のオープンネットワーク環境を利用した情報管理システムに於いて、
前記利用者装置で生成されて送信される接続情報は、複数種類の情報受信チャネルのパスワードを備えており、別途編集された接続許可情報により前記受信チャネルの許可と不許可を指定制御し、
前記接続管理装置は、前記接続許可情報を参照して前記接続情報のマスク処理を行うことを特徴とするオープンネットワーク環境を利用した情報管理システム。
【請求項３】
請求項１記載のオープンネットワーク環境を利用した情報管理システムに於いて、
前記利用者装置は、受信情報をディスプレイにリアルタイム表示する緊急チャネル、受信情報を記憶し所定の時間周期毎にディスプレイに読出表示する定時確認チャネル、及び受信情報を記憶し利用者の読出操作に応じてディスプレイに表示する保存チャネルを備え、
前記接続情報及び接続許可情報により前記緊急チャネル、定時確認チャネル及び保存チャネルのパスワードを設定して利用許可を指定制御することを特徴とするオープンネットワーク環境を利用した情報管理システム。
【請求項４】
請求項１記載のオープンネットワーク環境を利用した情報管理システムに於いて、
前記公開個人情報は、必要情報と不要情報を指定する必須公開項目と、氏名、住所、電話番号、ＦＡＸ番号、メールアドレス等の選択的公開項目とを備え、
別途編集される公開個人情報利用許可情報により前記選択的公開項目の公開と非公開を指定制御することを特徴とするオープンネットワーク環境を利用した情報管理システム。
【請求項５】
請求項４記載のオープンネットワーク環境を利用した情報管理システムに於いて、
前記公開個人情報利用許可情報に、前記情報提供装置からの利用者検索を待たずに前記接続管理装置から積極的に公開個人情報を通知させるアクティブ公開項目を設け、前記公開個人情報利用許可情報により選択的に指定制御することを特徴とするオープンネットワーク環境を利用した情報管理システム。
【請求項６】
請求項１記載のオープンネットワーク環境を利用した情報管理システムに於いて、
前記接続管理装置は、前記情報提供装置から特定の利用者装置のＩＤコードを使用した前記接続情報の検索要求を受けた際に、前記データベースに該当する接続情報が存在しない場合、接続情報の全ての項目にマスク処理を施して応答することにより前記利用者装置のネット上での不在を通知することを特徴とするオープンネットワーク環境を利用した情報管理システム。
【請求項７】
請求項６記載のオープンネットワーク環境を利用した情報管理システムに於いて、
前記情報提供装置は、前記接続管理装置に対する接続情報の検索要求に対しネット上での不在通知を受けた場合、前記接続管理装置の接続待ち情報に自己のネットワーク名と利用者装置のＩＤコードを接続待ち情報として登録し、
前記接続管理装置は、任意の利用者装置のオープンネットワークへの接続開始に伴ないデータベースに接続情報が登録された際に前記接続待ち情報を参照し、接続待ちの前記情報提供装置を認識して接続情報を検索応答することを特徴とするオープンネットワーク環境を利用した情報管理システム。
【請求項８】
請求項６記載のオープンネットワーク環境を利用した情報管理システムに於いて、
前記利用者装置は、前記接続管理装置から接続情報を発信する情報提供装置を指定する接続通知先情報を作成し、前記接続管理装置に対する接続開始時に送信してデーターベースに登録し、
前記接続管理装置は、前記利用者装置からオープンネットワークへの接続に伴う接続情報の登録を受けた際に、前記データベースの接続通知先情報を参照し、接続通知先に指定されている情報提供装置に有効な接続情報を応答することを特徴とするオープンネットワーク環境を利用した情報管理システム。
【請求項９】
請求項１記載のオープンネットワーク環境を利用した情報管理システムに於いて、
前記利用者装置は、前記情報提供装置のデータベースに所定の個人情報として不動産取引、株取引等の取引情報の提供を登録し、前記情報提供装置で適合する取引情報が得られた際に前記利用者装置に送信させることを特徴とするオープンネットワーク環境を利用した情報管理システム。
【請求項１０】
請求項１記載のオープンネットワーク環境を利用した情報管理システムに於いて、
前記利用者装置は、前記情報提供装置のデータベースに所定の個人情報として会議のスケジューリングに必要な会議招集情報を登録し、
前記情報提供装置は、前記会議招集情報に基づいて指定された招集対象者の利用者装置に会議案内情報を送信して出欠情報を収集し、該出欠情報の収集後に会議の詳細を決定して前記招集対象者の利用装置に配信することを特徴とするオープンネットワーク環境を利用した情報管理システム。
【請求項１１】
オープンネットワーク環境によって情報提供装置及び情報提供に必要な各種の情報を管理する接続管理装置と相互に通信可能に接続され、前記情報提供装置から情報提供を受けるオープンネットワーク環境の利用者装置に於いて、
オープンネットワークへの接続開始時に、情報提供に必要な最小限のアクセス許可情報を接続処理装置に送信して該接続処理装置のデータベースに登録させ、前記アクセス許可情報に基づく前記情報提供装置からの特化個人情報として定義された所定の個人情報の送信要求に対し応答して特化個人情報を情報提供装置のデータベースに登録させ、該特化個人情報に適合した提供情報を前記情報提供装置から受信する利用者処理部を備え、
前記利用者処理部は、
前記接続管理装置に対する接続開始時に、前記アクセス許可情報として自己のＩＤコード、ネットワークアドレス、及び情報受信チャネルのパスワードを含む接続情報を送信して前記接続管理装置のデータベースに登録させ、接続終了時に接続終了通知を送信して前記接続情報を前記データベースから削除させる接続情報処理部と、 自己のＩＤコード、提供を受けようとする情報の種類、及び情報の受信を許可する受信チャネルの各々を指定した公開個人情報を編集し、オープンネットワークに対する接続開始時に前記アクセス許可情報の一部として、編集済みの前記公開個人情報を前記接続管理装置に送信して前記データベースに登録させる公開個人情報処理部と、
前記公開個人情報の送信に伴い前記接続管理装置から送られてくる前記提供情報の種類に応じた特化個人情報の登録フォーマットを編集し、前記情報提供装置からの登録フォーマットの送信要求に対し編集済みの前記登録フォーマットを送信して前記情報提供装置のデータベースに登録させる特化個人情報処理部と、
からなることを特徴とするオープンネットワーク環境の利用者装置。
【請求項１２】
オープンネットワーク環境によって相互に通信可能に接続された情報提供装置から利用者装置への情報提供に必要な各種の情報を管理するオープンネットワーク環境の接続管理装置に於いて、
前記利用者装置のオープンネットワークへの接続開始時に送信された情報提供に必要な最小限のアクセス許可情報をデータベースに登録し、前記情報提供装置からの検索要求に対し該当するアクセス許可情報を前記データベースの参照で応答する接続管理処理部を備え、
前記接続管理処理部は、
前記利用者装置の接続開始時に前記アクセス許可情報として送信されたＩＤコード、ネットワークアドレス、及び情報受信チャネルのパスワードを含む接続情報をデータベースに登録すると共に、接続終了通知を受けた際に前記データベースから該当する接続情報を削除する接続情報管理部と、
前記利用者装置からＩＤコード、提供情報の種類、情報の受信を許可する受信チャネル、及び選択的に公開を許可したその他の個人情報の各々を指定して送信された公開個人情報を、前記データベースに更新登録する公開個人情報管理部と、
前記公開個人情報で指定された前記提供情報の種類に応じ、特化個人情報として定義された所定の個人情報の登録フォーマットを前記利用者装置に送信する登録フォーマット提供部と、
前記情報利用装置から情報提供を希望する利用者の検索要求を受けた際に、前記データベースを参照してアクセス許可を指定している利用者装置のＩＤコード、提供を受けようとする情報の種類、及び選択的に公開を許可したその他の個人情報を応答する利用者検索応答部と、前記情報提供装置から特定の利用者装置のＩＤコードを指定した前記接続情報の検索要求を受けた際に、前記データベースを参照して該当する接続情報を読み出し、且つ前記データベースの接続情報利用許可情報の参照により公開許可の項目と公開拒否の項目を認識し、公開拒否の接続情報についてはマスク処理を施して前記接続情報を応答する接続情報検索応答部と、
からなることを特徴とするオープンネットワーク環境の接続管理装置。
【請求項１３】
請求項１２記載のオープンネットワーク環境の接続管理装置に於いて、
前記接続情報は、複数種類の情報受信チャネルのパスワードを備えており、これらのパスワードは前記利用者装置で自動的に乱数処理により作成されるものであり、前記利用者装置がオープンネットワークに接続するたびに毎回異なったパスワードになり、前記データベースには前記利用者装置で別途編集されて送信された前記各情報受信チャネルの許可と不許可の指定を制御する接続許可情報が登録されており、前記情報提供装置から接続情報の検索要求を受けた際に前記接続許可情報を参照して前記接続情報のマスク処理を行うことを特徴とするオープンネットワーク環境の接続管理装置。
【請求項１４】
請求項１３記載のオープンネットワーク環境の接続管理装置に於いて、
前記情報受信チャネルとして前記利用者装置が受信情報をディスプレイにリアルタイム表示する緊急チャネル、受信情報を記憶し所定の時間周期毎にディスプレイに読出表示する定時確認チャネル、及び受信情報を記憶し利用者の読出操作に応じてディスプレイに表示する保存チャネルを備えている場合、前記接続情報及び接続許可情報により前記緊急チャネル、定時確認チャネル及び保存チャネルのパスワードを設定して利用許可を指定制御することを特徴とするオープンネットワーク環境の接続管理装置。
【請求項１５】
請求項１３記載のオープンネットワーク環境の接続管理装置に於いて、
前記データベースに登録された公開個人情報は、必要情報と不要情報を指定する必須公開項目と、氏名、住所、電話番号、ＦＡＸ番号、メールアドレス等の選択的公開項目とを備え、前記利用者装置で別途編集されて送信登録された公開個人情報利用許可情報により前記選択的公開項目の公開と非公開を指定制御することを特徴とするオープンネットワーク環境の接続管理装置。
【請求項１６】
請求項１５記載のオープンネットワーク環境の接続管理装置に於いて、
前記公開個人情報の選択的公開項目に、前記情報提供装置からのアクセス許可を検索を待たずに積極的にアクセス許可を通知させるアクティブ公開項目を設け、前記公開個人情報利用許可情報により前記アクティブ公開項目を選択的に指定制御することを特徴とするオープンネットワーク環境の接続管理装置。
【請求項１７】
請求項１２記載のオープンネットワーク環境の接続管理装置に於いて、
前記情報提供装置から特定の利用者装置のＩＤコードを使用した前記接続情報の検索要求を受けた際に、前記データベースに該当する接続情報が存在しない場合、接続情報の全ての項目にマスク処理を施して応答することにより前記利用者装置のネット上での不在を通知することを特徴とするオープンネットワーク環境の接続管理装置。
【請求項１８】
請求項１７記載のオープンネットワーク環境の接続管理装置に於いて、  前記情報提供装置からの接続情報の検索要求に対しネット上での不在を通知した場合、前記データベースの接続待ち情報に前記情報提供装置のネットワーク名と利用者装置のＩＤコードを接続待ち情報として登録し、
任意の利用者装置のオープンネットワークへの接続開始に伴ないデータベースに接続情報が登録された際に前記接続待ち情報を参照して接続待ちの情報提供装置を認識し、該当する接続情報を検索して応答することを特徴とするオープンネットワーク環境の接続管理装置。
【請求項１９】
請求項１７記載のオープンネットワーク環境の接続管理装置に於いて、
前記利用者装置の接続開始時に送信された接続情報を応答する情報提供装置を指定する接続通知先情報を前記データベースに登録し、
前記利用者装置からオープンネットワークへの接続に伴う接続情報の登録を受けた際に、前記データベースの接続通知先情報を参照し、接続通知先に指定されている情報提供装置に有効な接続情報を応答することを特徴とするオープンネットワーク環境を利用した情報管理システム。
【請求項２０】
オープンネットワーク環境によって利用者装置及び情報提供に必要な各種の情報を管理する接続管理装置と相互に通信可能に接続され、前記利用者装置に対し情報を提供するオープンネットワーク環境の情報提供装置に於いて、
前記接続管理装置への検索要求で取得した前記利用者装置への情報提供に必要な最小限のアクセス許可情報に基づく送信要求により特化個人情報として定義された所定の個人情報を取得してデータベースに登録し、前記特化個人情報に適合する提供情報が得られた際に前記利用者装置に送信する情報提供処理部を備え、
前記情報提供処理部は、
前記接続管理装置に対しアクセス許可を指定している利用者のＩＤコード、提供を受けようとする情報の種類、及び選択的に公開される個人情報の検索を要求する利用者検索要求部と、
前記利用者検索要求部で取得した特定のＩＤコードを使用して前記接続管理装置に対し利用者装置の接続情報の検索を要求する接続情報検索要求部と、
前記接続情報検索要求部で取得した接続情報に基づいて、前記利用者装置に特化個人情報の送信を要求してデータベースに登録する特化個人情報管理部と、
前記データベースの特化個人情報に適合する提供情報が得られた際に、前記接続情報検索要求部の作動により取得した接続情報に基づいて、利用者装置に前記提供情報を送信する提供情報管理部と、
からなることを特徴とするオープンネットワーク環境の情報提供装置。
【請求項２１】
オープンネットワーク環境によって情報提供装置及び情報提供に必要な各種の情報を管理する接続管理装置と相互に通信可能に接続され、前記情報提供装置から情報提供を受けるオープンネットワーク環境の利用者装置の制御プログラムを記憶したコンピュータで読み取り可能な記憶媒体に於いて、
オープンネットワークへの接続開始時に、情報提供に必要な最小限のアクセス許可情報を前記接続管理装置に送信して接続管理装置のデータベースに登録させ、前記アクセス許可情報に基づく前記情報提供装置からの特化個人情報として定義された所定の個人情報の送信要求に対し応答して特化管理情報を情報提供装置のデータベースに登録させ、該特化個人情報に適合した提供情報を前記情報提供装置から受信する利用者処理部を有し、
前記利用者処理部は、
オープンネットワークへの接続開始時に、前記アクセス許可情報として自己のＩＤコード、ネットワークアドレス、及び情報受信チャネルのパスワードを含む接続情報を送信して前記接続管理装置のデータベースに登録させ、接続終了時に接続終了通知を送信して前記接続情報を前記データベースから削除させる接続情報処理部と、
自己のＩＤコード、提供情報の種類、情報の受信を許可する受信チャネル、及び選択的に公開する個人情報の各々を指定した公開個人情報を編集し、前記接続管理装置に対する接続開始時に前記アクセス許可情報の一部として、編集済みの前記公開個人情報を前記接続管理装置に送信して前記データベースに登録させる公開個人情報処理部と、
前記公開個人情報の送信に伴い前記接続管理装置から送られてくる前記提供情報の種類に応じた特化個人情報の登録フォーマットを編集し、前記情報提供装置からの登録フォーマットの送信要求に対し編集済みの前記登録フォーマットを送信して前記情報提供装置のデータベースに登録させる特化個人情報処理部と、
前記特化個人情報の登録後に前記情報提供装置からの提供情報を受信して表示させる受信表示部と、
を備えたことを特徴とするオープンネットワーク環境の利用者装置の制御プログラムを記憶したコンピュータで読み取り可能な記憶媒体。
【請求項２２】
オープンネットワーク環境によって相互に通信可能に接続された情報提供装置から利用者装置への情報提供に必要な各種の情報を管理するオープンネットワーク環境の接続管理装置の制御プログラムを記憶したコンピュータで読み取り可能な記憶媒体に於いて、
前記利用者装置のオープンネットワークへの接続開始時に送信された情報提供に必要な最小限のアクセス許可情報をデータベースに登録し、前記情報提供装置からの検索要求に対し該当するアクセス許可情報を前記データベースの参照で応答する接続管理処理部を有し、
前記接続管理処理部は、
前記利用者装置のオープンネットワークへの接続開始時に前記アクセス許可情報として送信されたＩＤコード、ネットワークアドレス、及び情報受信チャネルのパスワードを含む接続情報をデータベースに登録すると共に、接続終了通知を受けた際に前記データベースから該当する接続情報を削除する接続情報管理部と、
前記利用者装置からＩＤコード、提供情報の種類、情報の受信を許可する受信チャネル、及び選択的に公開する個人情報の各々を指定して送信された公開個人情報を前記データベースに更新登録する公開個人情報管理部と、
前記公開個人情報で指定された前記提供情報の種類に応じ特化個人情報として定義された所定の個人情報の登録フォーマットを前記利用者装置に送信する登録フォーマット提供部と、
前記情報提供装置から情報提供を希望する利用者の検索要求を受けた際に、前記データベースを参照してアクセス許可を指定している利用者装置のＩＤコードと提供を受けようとする情報の種類を応答する利用者検索応答部と、
前記情報提供装置から特定の利用者装置のＩＤコードを指定した前記接続情報の検索要求を受けた際に、前記データベースを参照して該当する接続情報を読み出し、且つ前記データベースの接続許可情報の参照により公開許可の項目と公開拒否の項目を認識し、公開拒否の項目についてはマスク処理を施して前記接続情報を応答する接続情報検索応答部と、
を備えたことを特徴とするオープンネットワーク環境の接続管理装置の制御プログラムを記憶したコンピュータで読み取り可能な記憶媒体。
【請求項２３】
オープンネットワーク環境によって利用者装置及び情報提供に必要な各種の情報を管理する接続管理装置と相互に通信可能に接続され、前記利用者装置に対し情報を提供するオープンネットワーク環境の情報提供装置の制御プログラムを記憶したコンピュータで読み取り可能な記憶媒体に於いて、
前記接続管理装置への検索要求で取得した前記利用者装置への情報提供に必要な最小限のアクセス許可情報に基づく送信要求により特化個人情報として定義された所定の個人情報を取得してデータベースに登録し、前記特化個人情報に適合する提供情報が得られた際に前記利用者装置に送信する情報提供処理部を有し、
前記情報提供処理部は、
前記接続管理装置に対しアクセス許可を指定している利用者のＩＤコード、提供を受けようとする情報の種類、及び選択的に公開される個人情報の検索を要求する利用者検索要求部と、
前記利用者検索要求部で取得した特定のＩＤコードを使用して前記接続管理装置に対し利用者装置の接続情報の検索を要求する接続情報検索要求部と、
前記接続情報検索要求部で取得した接続情報に基づいて、前記利用者装置に特化個人情報の送信を要求してデータベースに登録する特化個人情報管理部と、
前記データベースの特化個人情報に適合する提供情報が得られた際に、前記接続情報検索要求部の作動により取得した接続情報に基づいて、利用者装置に前記提供情報を送信する提供情報管理部と、
を備えたことを特徴とするオープンネットワーク環境の情報提供装置の制御プログラムを記憶したコンピュータで読み取り可能な記憶媒体。
【発明の詳細な説明】
【０００１】
【発明の属する技術分野】
本発明は、インターネット等のオープンネットワーク環境を利用して情報提供サーバからクライアントに必要な情報を提供するオープンネットワーク環境を利用した情報管理システム及び装置並びに装置の制御プログラムを記憶したコンピュータで読み取り可能な記憶媒体に関し、特に、情報提供サーバとクライアントの間に情報提供に必要な接続情報及び公開個人情報を管理する接続管理サーバを設けてクライアント側に情報提供に関する優位性を持たせた情報管理システム及び装置並びに装置の制御プログラムを記憶したコンピュータで読み取り可能な記憶媒体に関する。
【０００２】
【従来の技術】
従来、オープンネットワーク環境を利用してサーバからクライアントに必要な情報を提供するシステムとしては、インターネットを使用したＷＷＷ（Ｗｏｒｌｄ
Ｗｉｄｅ  Ｗｅｂ）  、電子メール、グループウェア等のシステムが知られている。
ＷＷＷは、クライアントから必要とする情報が存在するサーバにアクセスを行うと、サーバがクライアントの要求に対し必要な情報を送信する。電子メールやグループウェアは、メール・サーバやグループウェア・サーバがスプールに情報を受信・蓄積して管理しており、クライアントからスプールにアクセスを行い、スプールに受信・蓄積された情報を取り出す。
【０００３】
【発明が解決しようとする課題】
このようなオープンネットワーク環境の情報管理システムについて、情報の鮮度及び機密性を考察すると次のようになる。
ＷＷＷは、サーバからの情報の提供が全てクライアントからのアクセス要求に基づいており、必要な情報をリアルタイムで検索して入手することになる。このため情報の鮮度は、サーバへのアクセス頻度に依存しており、最新の情報を入手するためには頻繁にサーバにアクセスする必要がある。またデータは公開が原則であり、非公開を必要とする個人的な情報の送受には適していない。
【０００４】
電子メールやグループウェアは、クライアントからスプールにアクセスを行ってスプールに受信・蓄積された情報を取り出すため、情報の鮮度はスプールへのアクセス頻度に依存する。また、データの機密性はメール・サーバやグループウェア・サーバの信頼性に依存するが、サーバを管理しているプロバイダがデータを見ることが可能であり、機密性はそれほど高くない。
【０００５】
一方、ＷＷＷ、電子メール等を利用した情報提供サービスにあっては、サービス提供を受ける利用者の個人情報が必要であり、一般に、利用者個人情報はサービス提供者がデータベースに一括登録して管理している。このため利用者は、サービス毎に利用者個人情報を提供しなければならないし、サービス毎に収集を必要とする利用者個人情報が異なり、サービス提供者側での利用者情報の共有は例がなく、現状では既存技術で行ったとしても取りまとめと管理も大変である。
【０００６】
更に、情報の提供を受けたい利用者は、特定のサービス提供者を最初から決めることには無理があり、複数のサービス提供者から情報の提供を通じて最終的に必要とする情報の提供者を決めていきたいという強い希望がある。
このような場合にも、利用者は、最初からサービス提供者の要求する個人情報を全て公開しなければ情報提供を受けられない。しかし、多数のサービス提供者に利用者が個人情報を公開することは、公開情報を悪用される可能性が高くなることから、通常はできない。
【０００７】
このため利用者は、多数のサービス提供社と接触する中で特定のサービス提供者に絞っていくようなことは、事実上困難であり、最初からサービス提供者を決めなければならず、広く必要な情報を収集できるというオープンネットワークの利点を十分に生かすことができない。
本発明は、このような従来の問題点に鑑みてなされたもので、利用者側に主導権を持たせ、まず必要最小限の個人情報の公開でサービス提供者からのアクセスを許可し、次にアクセスしてきたサービス提供者に対し利用者の判断で詳細な利用者個人情報を提供して情報提供やサービス業務を可能とするオープンネットワーク環境の情報管理システム及び装置並びに装置の制御プログラムを記憶したコンピュータで読み取り可能な記憶媒体を提供することを目的とする。
【０００８】
【課題を解決するための手段】
図１は本発明の原理説明図である。本発明の情報管理システムは、情報提供を受ける利用者装置（ピア・クライアント：Ｐｅｅｒ  Ｃｌｉｅｎｔ）１０、利用者装置１０に情報を提供する情報提供装置（ＩＰサーバ）１４、情報提供装置１４から利用者装置１０への情報提供に必要な各種の情報を管理する接続管理装置（接続サーバ）１２をインターネット等のオープンネットワーク環境１６により相互に通信可能に接続した情報管理システムを対象とする。
【０００９】
このような情報管理システムにおいて、利用者装置１０は、オープンネットワークへの接続開始時に、情報提供に必要な必要最小限のアクセス許可情報を接続管理装置１２に送信してデータベースに登録させ、アクセス許可情報に基づく情報提供装置１４からの特化個人情報として定義された所定の個人情報の送信要求に対し応答してデータベースに登録させ、特化個人情報に適合した提供情報を情報提供装置１４から受信する。
【００１０】
接続管理装置１２は、利用者装置１０のオープンネットワークへの接続開始時に送信されたアクセス許可情報をデータベースに登録し、情報提供装置１４からの検索要求に対し該当するアクセス許可情報をデータベースの参照で応答する。情報提供装置１４は、接続管理装置１２への検索要求で取得したアクセス許可情報に基づく送信要求により、特化個人情報として定義された所定の個人情報を取得してデータベースに登録し、特化個人情報に適合する提供情報が得られた際に前記利用者装置１０に送信する。
【００１１】
このような情報管理システムによれば、情報の提供を希望する利用者は、利用者装置１０によって接続管理装置１２に情報提供装置１４からのコンタクトに必要な最小限のアクセス許可情報を開示するだけで、複数の情報提供装置１４からの初期的なコンタクトを受けることができる。
この情報提供装置１４からの初期的なコンタクトは、利用者に必要な情報やサービスを提供するために必要な利用者の個人情報、所謂特化個人情報の送信要求であり、利用者は適切と判断できた情報提供先を選んで要求された特化個人情報を送り、情報提供装置１４のデータベースに登録して情報やサービスの提供を受けることができる。
【００１２】
即ち、従来のオープンネットワーク環境では、ＩＰサーバとなる情報提供装置の下にクライアントとなる使用者装置がブランチしており、ＩＰサーバに対しクライアントは下位に位置している。これに対し、本発明の情報管理システムは、クライアントとしての利用者装置が、多数のＩＰサーバとなる情報提供装置を選択して更に詳細な利用者の個人情報を提供するというクライアント主導の形態をとっている。このように本発明のクライアントはＩＰサーバと同等レベルまで地位が高まり、クライアントはサーバと同等（Ｐｅｅｒ）  であることから、これをピア・クライアントとしている。
【００１３】
このため情報やサービスの提供を受けたい利用者は、氏名や住所等の通信制御に直接必要のない個人情報を公開することなく、複数のサービス提供者からの問い合わせ通じて最終的に必要とする情報提供者を決めていくことができ、多数のサービス提供者に個人情報を公開する必要がなく、安心して必要とする情報やサービスの提供を受けることができる。
【００１４】
また情報提供装置１４のデータベースに特化個人情報を登録しておくことで、必要な情報が発生すると直ちに利用者装置１０に対する送信処理が行われ、情報の鮮度が極めて高い。また利用者装置１０のネット上での位置は常に接続管理装置１２で認識されており、情報提供装置１４はアクセスしたい場合に接続管理装置１２に問い合わせることで、常に最新の利用者装置１０のアクセスに必要な情報が得られる。
【００１５】
利用者装置１０の利用者処理部は、接続情報処理部、公開個人情報処理部、特化個人情報処理部、及び受信表示部を備える。接続情報処理部は、オープンネットワークへの接続開始時に、接続管理装置１２に対してアクセス許可情報として自己のＩＤコード、ネットワークアドレス、情報受信チャネルのパスワードを含む接続情報を送信して接続管理装置１２のデータベースに登録させ、接続終了時に接続終了通知を送信して接続情報をデータベースから削除させる。このため接続管理装置１２は、利用者装置１０のネット上の位置と存在の有無を常に認識できる。
【００１６】
公開個人情報処理部は、自己のＩＤコード、提供情報の種類、情報の受信を許可する受信チャネルの各々を指定した公開個人情報を編集し、オープンネットワークへの接続時に接続管理装置１２に対してアクセス許可情報の一部として、編集済みの公開個人情報を接続管理装置１２に送信してデータベースに登録させる。
【００１７】
特化個人情報処理部は、公開個人情報の送信に伴い接続管理装置１２から送られてくる提供情報の種類に応じた特化個人情報の登録フォーマットを編集し、情報提供装置１４からの登録フォーマットの送信要求に対し編集済みの登録フォーマットを送信して情報提供装置１４のデータベースに登録させる。受信表示部は、特化個人情報の登録後に情報提供装置１４からの提供情報を受信して表示させる。
【００１８】
接続管理装置１２は、接続情報管理部、公開個人情報管理部、登録フォーマット提供部、利用者検索応答部、及び接続情報検索応答部を備える。接続情報管理部は、利用者装置１０がオープンネットワークへの接続開始時に送信する接続情報をデータベースに登録すると共に、接続終了通知を受けた際にデータベースから該当する接続情報を削除する。公開個人情報管理部は、利用者装置１０から送信された公開個人情報をデータベースに更新登録する。
【００１９】
登録フォーマット提供部は、公開個人情報で指定された提供情報の種類に応じ予め定められた特化個人情報の登録フォーマットを利用者装置１０に送信する。利用者検索応答部は、情報提供装置１４からの情報提供を希望する利用者の検索要求を受けた際に、データベースを参照してアクセス許可を指定している利用者装置１０のＩＤコードと提供情報の種類を応答する。
【００２０】
接続情報検索応答部は、情報提供装置１４から特定の利用者装置１０のＩＤコードを指定した接続情報の検索要求を受けた際に、データベースを参照して該当する接続情報を読み出し、且つデータベースの公開個人情報の参照により公開許可の個人情報と公開拒否の個人情報を認識し、公開拒否の個人情報についてはマスク処理を施して接続情報を応答する。
【００２１】
情報提供装置１４は、利用者検索要求部、接続情報検索要求部、特化個人情報管理部、及び提供情報管理部で構成される。利用者検索要求部は、接続管理装置１２にアクセス許可を指定している利用者のＩＤコードと提供情報の種類の検索を要求する。接続情報検索要求部は、利用者検索要求部で取得した特定のＩＤコードを使用して接続管理装置１２に利用者装置１０の接続情報の検索を要求する。
【００２２】
特化個人情報管理部は、接続情報検索要求部で取得した接続情報に基づいて、利用者装置１０に特化個人情報の送信を要求してデータベースに登録する。提供情報管理部は、データベースの特化個人情報に適合する提供情報が得られた際に、接続情報検索要求部の作動により取得した接続情報に基づいて、利用者装置１０に提供情報を送信する。
【００２３】
利用者装置１０が接続開始時に接続管理装置１２に送信する接続情報は、複数種類の情報受信チャネルのパスワードを備えており、別途編集された接続許可情報により各情報受信チャネルの許可と不許可の指定を制御する。接続管理装置１２は、情報提供装置１４に接続情報を送信する際に、接続許可情報を参照して接続情報のマクス処理を行う。
【００２４】
利用者装置１０は、受信情報をディスプレイにリアルタイム表示する緊急チャネル、受信情報を記憶し所定の時間周期毎にディスプレイに読出表示する定時確認チャネル、及び受信情報を記憶し利用者の読出操作に応じてディスプレイに表示する保存チャネルを備え、接続情報及び接続許可情報により緊急チャネル、定時確認チャネル及び保存チャネルのパスワードを設定して情報提供装置１４の利用許可を指定制御する。
【００２５】
利用者装置１０が編集して送信する個人公開情報は、必要情報と不要情報を指定する必須公開項目と、氏名、住所、電話番号、ＦＡＸ番号、メールアドレス等の選択的公開項目とを備え、別途編集された公開個人情報利用許可情報により、選択的公開項目の公開と非公開を指定制御する。
個人公開情報の選択的公開項目には、情報提供装置１４からのアクセス許可を検索を待たずに接続管理装置１２から積極的にアクセス許可を通知させるアクティブ公開項目が設けられ、公開個人情報利用許可情報により選択的に指定制御する。
【００２６】
接続管理装置１２は、情報提供装置１４から特定の利用者装置１０のＩＤコードを使用した接続情報の検索要求を受けた際に、データベースに該当する利用者装置の接続情報が存在しない場合、接続情報の全項目にマスク処理を施して応答することにより、利用者装置１０のネット上での不在を通知する。
情報提供装置１４は、接続管理装置１２に対する接続情報の検索要求に対しネット上での不在通知を受けた場合、接続管理装置１２の接続待ち情報に自己のホスト名と利用者装置１０のＩＤコードを接続待ち情報として登録する。接続管理装置１２は、任意の利用者装置１０のオープンネットワークへの接続開始に伴ないデータベースに接続情報が登録された際に接続待ち情報を参照し、接続待ちの情報提供装置１４を認識して要求された接続情報を検索して応答する。
【００２７】
利用者装置１０は、接続管理装置１２から接続情報を応答する情報提供装置１４のホスト名を指定する接続通知先情報を作成し、オープンネットワークへの接続に伴う接続管理装置１２に対する接続情報登録時に送信してデータベースに登録する。接続管理装置１２は、情報提供装置１４から特定の利用者装置１０のＩＤコードを指定した接続情報の検索要求を受けた際に、データベースの接続通知先情報を参照し、接続通知先に指定されている情報提供装置１４に有効な接続情報を応答する。
【００２８】
データベースの接続通知先情報に接続通知先の指定がない情報提供装置１４にについては、全項目にマスク処理を施した無効な接続情報を応答してネット上の不在を通知する。このため、それ以前の接続情報の登録で受信チャネルのパスワードを公開していても、その後、特定の情報提供装置１４からの情報提供を拒否することができる。
【００２９】
情報管理システムの具体例として、利用者装置１０は、情報提供装置１４のデータベースに所定の個人情報として不動産取引、株取引等の取引情報の提供を登録し、情報提供装置１４で適合する取引情報が得られた際に利用者装置１０に送信させる。
また利用者装置１０は、情報提供装置１４のデータベースに所定の個人情報として会議のスケジューリングに必要な会議招集情報を登録し、情報提供装置１４は、会議招集情報に基づいて指定された招集対象者の利用者装置１０に会議案内情報を送信して出欠情報を収集し、出欠情報の収集後に会議の詳細を決定して招集対象者の利用者装置１０に配信する。
【００３０】
また本発明は、情報管理システムを構築するインターネット等のオープンネットワーク環境１６により相互に通信可能に接続された利用者装置（ピア・クライアント）１０、情報提供装置（ＩＰサーバ）１４、及び接続管理装置（接続サーバ）１２の各々を提供する。
更に本発明は、情報管理システムを構築するインターネット等のオープンネットワーク環境１６により相互に通信可能に接続された利用者装置（ピア・クライアント）１０、情報提供装置（ＩＰサーバ）１４、及び接続管理装置（接続サーバ）１２の各々の制御プログラムを記憶したコンピュータで実行可能な記録媒体を提供する。ここで利用者装置（ピア・クライアント）１０、情報提供装置（ＩＰサーバ）１４、及び接続管理装置（接続サーバ）１２の各制御プログラムを記憶したコンピュータで実行可能な記録媒体が提供される形態としては、各装置の主記憶に記憶された形態、ＣＤ−ＲＯＭやフロッピー等の可搬媒体で提供される形態、又は通信回線により提供される形態がある。
【００３１】
【発明の実施の形態】
＜目次＞
１．システム構成と管理情報
２．システム動作概略
３．システム動作の詳細
（１）不動産取引
（２）会議スケジュール調整
４．装置の処理機能
（１）ピア・クライアント
（２）接続サーバ
（３）ＩＰサーバ
１．システム構成と管理情報
図２は本発明のオープンネットワーク環境を利用した情報管理システムの構成図である。本発明の情報管理システムは、利用者装置として機能するピア・クライアント１０、接続管理装置として機能する接続サーバ１２、及び情報提供装置として機能するＩＰサーバ１４を、オープンネットワークとしての例えばインターネット１６を介して相互に通信可能に接続している。
【００３２】
ピア・クライアント１０には個人情報管理モジュール１８、複数の受信チャネル２２−１〜２２−Ｎを備えた通信管理モジュール２０、表示処理を行うためのブラウザ２４、個人情報ファイル２８及びローカルファイル３０が設けられている。
接続サーバ１２には接続状況管理モジュール３２、公開個人情報管理モジュール３４、接続状況データベース３６及び公開個人情報データベース３８が設けられている。ＩＰサーバ１４には通信管理モジュール４０、情報収集モジュール４２、情報作成モジュール４４及び特化個人情報データベース４６が設けられている。
【００３３】
このような本発明の情報管理システムの基本的な処理は、ピア・クライアント１０のインターネット１６に対する接続開始時にＩＰサーバからの情報提供に必要な必要最小限のアクセス許可情報、即ち接続情報と公開個人情報を接続サーバ１２に送信して、接続情報を接続状況データベース３６に登録し、公開個人情報を公開個人情報データベース３８に登録する。
【００３４】
接続サーバ１２に対してはＩＰサーバ１４より情報提供を希望している利用者の検索要求が行われ、この検索要求に対し接続サーバ１２は、公開個人情報データベース３８を検索して、アクセス許可を出しているピア・クライアント１０の必要最小限の公開情報例えばＩＤコードを応答する。接続サーバ１２からアクセス許可を出しているピア・クライアント１０のＩＤコードを受け取ったＩＰサーバ１４は、続いて接続サーバ１２に対しＩＤコードを使用したピア・クライアント１０側の接続情報の検索要求を行う。
【００３５】
この検索要求に対し接続サーバ１２は、接続状況データベース３６を検索し、該当するピア・クライアント１０の接続情報を得ると、許可されている受信チャネルを認識し、ＩＰサーバ１４にピア・クライアント１０との通信に必要なＩＰアドレス、該受信チャネルおよび、そのパスワードを応答する。
このような接続サーバ１２より接続情報の検索応答を受けたＩＰサーバ１４は、ピア・クライアント１０に対し送信許可を求め、送信許可が得られると情報提供に必要な特化個人情報の送信を要求する。ピア・クライアント１０の利用者は、多数のＩＰサーバ１４側からの特化個人情報の送信要求に対し、適切と思われる情報提供者を判断し、特定のＩＰサーバ１４の情報提供者に対し必要とする提供サービスごとに決められた項目を記入した特化個人情報を送信してＩＰサーバ１４の特化個人情報データベース４６に登録する。
【００３６】
このようなＩＰサーバ１４に対するピア・クライアント１０からの特化個人情報の登録により、ピア・クライアント１０の利用者が希望している情報提供の準備が完了する。
ＩＰサーバ１４は自己の提供する情報が生成されるごとに特化個人情報データベース４６を検索して該当する利用者を判断し、利用者に送りたい情報が発生した場合は接続サーバ１２にアクセスして、送信しようとするピア・クライアント１０の接続情報を検索要求し、この検索要求に対し得られた接続情報を使用して、許可されているピア・クライアント１０の受信チャネルに対し、発生した情報を送信する。
【００３７】
図３は図２の情報管理システムに設けているピア・クライアント１０、接続サーバ１２及びＩＰサーバ１４の機能ブロック図である。
まず利用者装置として機能するピア・クライアント１０には、接続情報処理部４８が設けられる。接続情報処理部４８に対しては接続情報登録フォーマット５０、接続許可情報登録フォーマット５２が準備されている。接続情報処理部４８は、接続サーバ１２に対して、インターネットへの接続開始時に接続情報登録フォーマット５０を使用して接続情報を自動生成して送信する。接続許可情報登録フォーマット５２は接続サーバ１２における受信チャネル公開の許可と拒否を指定制御するもので、利用者の編集により作成される。
【００３８】
またピア・クライアント１０には公開個人情報処理部５４が設けられ、公開個人情報処理部５４に対しては公開個人情報登録フォーマット５６、公開個人情報利用許可情報登録フォーマット５８及び接続通知先情報フォーマット６０が設けられており、それぞれ利用者の編集により作成され、接続サーバ１２に対して、ピア・クライアント１０のインターネットへの接続開始時に接続情報処理部４８による接続情報の自動生成及び送信に続いて、編集済みの各情報を公開個人情報処理部５４より送信する。
【００３９】
特化個人情報処理部６２は、接続サーバ１２側に必要情報を示す公開個人情報を送信登録した後に、接続サーバ１２より送られてくる特化個人情報登録フォーマットに必要とする情報提供を受けるための予め定めた項目を記入する編集処理を行う。そして、その後にＩＰサーバ１４からの特化個人情報の送信要求に対し編集済みの特化個人情報を送信することになる。
【００４０】
受信表示部６４はＩＰサーバ１４からの提供情報を受信表示するもので、この実施形態にあっては、緊急チャネル６６、定時確認チャネル６８及び保存チャネル７０を備えている。緊急チャネル６６は、ＩＰサーバ１４からの情報を受信すると直ちにディスプレイ２６に表示する最も優先度の高い受信チャネルである。定時確認チャネル６８はＩＰサーバ１４からの情報を受信すると、一旦ファイルに格納し、予め定めた設定時刻に達するとディスプレイ２６上に情報受信があることを割込表示し、利用者の定時確認チャネル６８に対する読出操作をもって受信情報をディスプレイ２６に表示する。したがって定時確認チャネル６８は、緊急チャネル６６の次に優先度の高い受信チャネルとなる。
【００４１】
更に保存チャネル７０はＩＰサーバ１４からの受信情報をファイルに格納するだけであり、利用者の保存チャネル７０の読出操作が行われた場合にのみディスプレイ２６上に受信情報を表示する最も優先度の低いチャネルとなる。ピア・クライアント１０と接続サーバ１２あるいはＩＰサーバ１４との間の通信は、通信制御部７２を経由して行われる。
【００４２】
通信制御部７２は、使用しているインターネットに適合した適宜の通信プロトコルに従った通信制御を行う。同様な通信制御部は、接続サーバ１２及びＩＰサーバ１４に通信制御部７４，１１０としてそれぞれ設けられている。
次に接続管理装置として機能する接続サーバ１２を説明する。接続サーバ１２には、接続情報管理部７６、公開個人情報管理部７８、登録フォーマット提供部８０、利用者検索応答部８２、接続情報検索応答部８４が設けられる。接続情報検索応答部８４には、検索受付部８６、接続許可参照部８８、接続通知先参照部９０、マスク処理部９１、接続情報送信部９２の機能が含まれている。
【００４３】
更に接続サーバ１２には、クレデンシャルデータベース３５、接続状況データベース３６、及び公開個人情報データベース３８が設けられている。接続状況データベース３６には、接続情報９４、接続許可情報９６、接続待ち情報９８、接続通知先情報１００がピア・クライアント単位に格納されている。また公開個人情報データベース３８には、公開個人情報１０２、公開個人情報利用許可情報１０４、登録フォーム１０６及び情報提供者１０８が、同じくピア・クライアント単位に格納されている。
【００４４】
情報提供装置として機能するＩＰサーバ１４には、利用者検索要求部１１２、接続情報検索要求部１１４、特化個人情報管理部１１６、特化個人情報データベース４８及び提供情報管理部１２０が設けられている。
次に図３の接続サーバ１２の接続情報データベース３６及び公開個人情報データベース３８に登録されて管理される各情報を説明する。
【００４５】
図４はクレデンシャルデータベース３５に格納された資格認証情報１２２であり、通常「クレデンシャル（Ｃｒｅｄｅｎｔｉａｌ）」と呼ばれており、本発明の情報管理システムがピア・クライアント１０に割り当てたＩＤコード１２４とピア・クライアント１０の利用者が決めた所定桁数のパスワード１２６を備える。パスワード１２６は、ピア・クライアント１０で自動的に乱数処理により作成されるものであり、ピア・クライアント１０がインターネット１６に接続するたびに毎回異なったパスワードになる。
【００４６】
図５は接続状況データベース３６に格納されるピア・クライアント１０の接続情報９４である。接続情報９４は、ＩＤコード１２４、ＩＰアドレス１２８、接続時刻１３０、緊急チャネル、定時確認チャネル及び保存チャネルのパスワード１３２，１３４，１３６を備えている。
この接続情報９４の内、ＩＤコード１２４、ＩＰアドレス１２８及び接続時刻１３０についてはＩＰサーバ１４からの検索要求に対しそのまま送信するが、緊急チャネル、定時確認チャネル及び保存チャネルのパスワード１３２，１３４，１３６については、図６に示す接続許可情報の指定に従って公開と非公開が制御される。尚、パスワード１３２，１３４，１３６は乱数処理により作成され、インターネットに接続する度に毎回異なるようにしてもよい。
【００４７】
図６は接続サーバ１２の接続状況データベース３６に格納される接続許可情報９６であり、緊急チャネル接続許可情報１３８、定時確認チャネル接続許可情報１４０及び保存チャネル接続許可情報１４２の３つを備え、更にＩＤコード１２４を格納している。
緊急チャネル、定時確認チャネル、保存チャネルの各接続許可情報１３８，１４０，１４２のそれぞれには許可ＩＰサーバホスト名、拒否ＩＰサーバホスト名が登録できる。ここでデフォルト値としては、緊急チャネル接続許可情報１３８は拒否ＩＰサーバホスト名を「Ａｌｌ」の設定で全て拒否しており、定時確認チャネル接続許可情報１４０と保存チャネル接続許可情報１４２については許可ＩＰサーバホスト名をデフォルトとして「Ａｌｌ」にして全てのＩＰサーバに許可している。
【００４８】
この接続許可情報９６におけるデフォルト値は、ピア・クライアント１０を接続サーバ１２に接続する前に接続情報処理部４８で接続許可情報登録フォーマット５２を読み出して適宜に編集することで、図５の接続情報９４における受信可能とするチャネルのパスワードの公開を指定制御することができる。
図７は接続サーバ１２の接続状況データベース３６に格納される接続待ち情報９８であり、ピア・クライアント１０のＩＤコード１２４と、接続サーバ１２に対する接続情報の検索要求を行って待たされているＩＰサーバ１４のＩＰサーバホスト名１４４が格納される。即ち図３のＩＰサーバ１４でＩＤコード１２４の判っているピア・クライアント１０に対し送信を行いたい場合、接続情報検索要求部１１４により接続サーバ１２の接続情報検索応答部８４に対し検索要求を行う。
【００４９】
このときＩＤコードで指定されたピア・クライアント１０がログオフ等によりネットワークから外されていると、接続状況データベース３６に該当する接続情報９４が存在せず、ＩＰサーバ１４は接続情報を入手することができない。そこでＩＰサーバ１４は、図７の接続待ち情報９８にネットワークへの接続を待つピア・クライアントのＩＤコード１２４と自己のＩＰサーバホスト名１４４を登録しておく。
【００５０】
このような接続待ち情報９８に対する登録を行っておけば、該当するＩＤコード１２４のピア・クライアント１０がネットワークに接続して接続情報の接続サーバ１２に対する送信登録が行われると、接続待ち情報９８の参照により接続待ちにあるＩＰサーバホスト名１４４を認識し、この待ち状態にあるＩＰサーバに対し接続サーバ１２側より接続情報の検索応答を自動的に行うことができる。
【００５１】
図８は図３の接続サーバ１２に設けている接続状況データベース３６に格納される接続通知先情報１００である。この接続通知先情報１００には、登録を行ったピア・クライアント１０のＩＤコード１２４と接続通知先となるＩＰサーバのホスト名１４６が格納される。
即ち、接続通知先情報１００は、図３に示したピア・クライアント１０の公開個人情報処理部５４で接続通知先情報登録フォーマット６０を読み出して編集し、接続サーバ１２に対する接続開始時に接続情報などと共に送信されて接続状況データベース３６に登録される。
【００５２】
この接続通知先情報１００は、ピア・クライアント１０のネットワークへの接続時に参照され、通知先として登録されているＩＰサーバには優先的に接続サーバから検索なしに接続情報が通知される。これにより、よく利用するＩＰサーバには、ピア・クライアントのネットワーク接続と同時に接続情報が送信され提供情報があれば直ちに受信できるというメリットが得られる。
【００５３】
図９は図３の接続サーバ１２に設けている公開個人情報データベース３８に登録される公開個人情報１０２である。公開個人情報１０２は、ピア・クライアント１０のＩＤコードに続いて必須公開項目１４８とオプション公開項目１５０を設けている。必須公開項目１４８は固定的に公開される情報であり、ＩＰサーバ１４に対する必要情報の種類１５２と不要情報の種類１５４を登録することができる。
【００５４】
オプション公開項目１５０は、図１０に示す公開個人情報利用許可情報１０４によって公開と非公開が選択的に指定制御できる項目であり、利用者の判断によっては一切登録しないことも可能である。この例にあっては、氏名１５６、住所１５８、電話番号１６０、ＦＡＸ１６２、メールアドレス１６６、その他１６８となっている。
【００５５】
ピア・クライアント１０の利用者が最初に提供を受けたい情報を得るためのアクセス許可を接続サーバ１２に対し行いたい場合には、オプション公開項目１５０は全て非公開とし、必須公開項目１４８の中の必要情報の種類１５２に例えば「不動産取引」「株取引」「為替取引」「会議スケジュール」等の提供してほしい情報やサービスの種類を登録する。
【００５６】
必須公開項目１４８の不要情報の種類１５４については、一度必要情報の種類１５２をセットして接続サーバ１２の公開個人情報データベース３８に登録した後に、登録したサービスの提供を停止したい場合には、必要情報の種類１５２から登録の削除を行うが、何らかのエラーにより停止が守られない場合に明示的に停止するために、停止したい不要情報の種類を登録すればよい。
【００５７】
この公開個人情報１０２から明らかなように本発明の情報管理システムにあっては、最初に接続サーバ１２に提供する公開個人情報はピア・クライアント１０のＩＤコード１２４と必須公開項目１４８にセットされた必要情報の種類１５２のみであり、この必要最小限の公開個人情報によってインターネットに接続している必要情報の種類に対応した複数の情報提供者のＩＰサーバ１４からの初期的なアプローチを受けることができる。
【００５８】
図１０の公開個人情報利用許可情報１０４は、必須公開項目利用許可情報１７０、オプション公開項目利用許可情報１７２、アクティブ公開１７４及びＩＤコード１２４で構成される。必須公開項目利用許可情報１７０は許可ＩＰサーバホスト名と拒否ＩＰサーバホスト名を登録することとなり、デフォルトは許可ＩＰサーバホスト名が「Ａｌｌ」となっており、これに対応して拒否ＩＰサーバホスト名のデフォルトは「なし」となっている。
【００５９】
同じくオプション公開項目利用許可情報１７２についても、許可ＩＰサーバホスト名と拒否ＩＰサーバホスト名を登録することができ、許可ＩＰサーバホスト名デフォルトは「なし」となっており、拒否ＩＰサーバホスト名のデフォルトは「Ａｌｌ」となっている。したがってデフォルトの状態にあっては、図９に示した公開個人情報１０２の必須公開項目１４８は利用許可にセットされ、オプション公開項目１５０は利用拒否にセットされている。
【００６０】
公開個人情報利用許可情報１０４におけるアクティブ公開１７４は、アクティブ公開の有無を設定する。デフォルト値はアクティブ公開を「しない」となっている。このアクティブ公開１７４を「する」にセットすると、ピア・クライアント１０が接続サーバに対して、ネットワークへの接続開始時に接続情報及び公開個人情報を送ってデータベースに登録すると、ＩＰサーバに対する積極的な公開個人情報の提供を行う。
【００６１】
即ち、接続サーバ１２は、公開個人情報利用許可情報１０４におけるアクティブ公開１７４の「する」を認識すると、必須公開項目１４８に登録されている必要および不要情報の種類を参照し、図１２で示される情報提供者データの提供情報の種類１９０が該当するＩＰサーバホスト名１９２を得て、これらの名前を持つ複数のＩＰサーバ１４にアクセス許可および拒否が出されていることを積極的に送信し、より迅速で効率的なＩＰサーバ１４側からの情報提供を実現する。
【００６２】
図１１は図３の接続サーバ１２の登録フォームデータベース３９に格納している登録フォーム１０６であり、登録フォーム１０６は情報の種類１８４と特化個人情報登録フォーム１８６で構成されている。例えば情報の種類１８４が「不動産取引」であった場合には、特化個人情報登録フォーム１８６としては
▲１▼住宅の種類
▲２▼予算
▲３▼場所
などの登録フォーマットが予め準備されている。
【００６３】
図１２は図３の接続サーバ１２の情報提供者データベース４０に登録される情報提供者１０８であり、ＩＰサーバに対するアクティブ送信に使用される。情報提供者１０８は、情報提供を行う団体ＩＰ（Ｉｎｆｏｒｍａｔｉｏｎ  Ｐｒｏｖｉｄｅｒ）の名称であるＩＰ名１８８、提供情報の種類１９０及び情報提供を行うＩＰサーバホスト名１９２を備える。
２．システム動作概略
図１３、図１４は、本発明の情報管理システムにおける公開個人情報の編集登録、特化個人情報の編集登録、更に必要情報の受信処理のシステム動作の概略であり、利用者Ａさんの「不動産取引」を例にとって説明すると次のようになる。
【００６４】
図１３は公開個人情報登録処理１９４と続いて行われる特化個人情報登録処理２００を示している。公開個人情報登録処理１９４は、接続時処理１９６と定常時処理１９８に分かれる。接続時処理１９６にあっては、まず接続に先立って、ステップＳ１で図９の公開個人情報１０２の必須公開項目１４８の中の必要情報の種類１５２に情報提供を必要とする「不動産取引」をセットする新規入力更新を行う。
【００６５】
インターネット１６に対する接続を開始すると、ステップＳ１で作成された公開個人情報登録データＤ１が接続サーバ１２に送信され、ステップＳ２で、既に登録済みのデータとの比較により未登録であればそのまま、また既に登録があれば変更した部分についての更新登録を公開個人情報データベース３８に対し行う。
【００６６】
ピア・クライアント１０のインターネット１６への接続に伴う公開個人情報のデータベース登録が済むと定常時処理１９８となり、この状態ではＩＰサーバ１４がステップＳ３で定期的に接続サーバ１２に対し必要情報「不動産取引」に関する公開個人情報の検索要求を行っている。この検索要求に対し接続サーバ１２は、ステップＳ４で公開個人情報データベース３８を検索し、ピア・クライアント１０の利用者であるＡさんがが登録した公開個人情報データＤ２をＩＰサーバ１４に送る。
【００６７】
この公開個人情報データＤ２に基づき、ＩＰサーバ１４はステップＳ５でＡさんの特化個人情報のデータベース登録のための送信要求の作成処理を行う。このときＩＰサーバ１４が入手できる公開個人情報データＤ２の内容は、図９のＡさんのＩＤコード１２４と必要情報の種類１５２に登録された「不動産取引」のみであり、図９のオプション公開項目の１５０の中の氏名、住所などは不明である。
【００６８】
続いて特化個人情報登録処理２００に入る。特化個人情報登録処理は、登録票作成更新処理２０２と収集時処理２０４に分けられる。登録票作成更新処理２０２は、接続サーバ１２が先述の接続時処理１９６におけるステップＳ２の公開個人情報データベースの比較更新の結果を受けて、新規に登録された必要情報の種類１５２に応じて登録フォーマットをステップＳ７でピア・クライアント１０に送り、ステップＳ９で登録フォーマットに対する特化個人情報データＤ３の登録を行う。
【００６９】
例えば
「住宅の種類  マンション」
「予算  ５０００万円」
「場所  東京都内」
などの不動産取引に必要な情報を登録する。
【００７０】
ＩＰサーバ１４はステップＳ１１でステップＳ５で作成した送信要求の利用者ＩＤコードのピア・クライアント１０に対し特化個人情報の送信要求を行う。この送信要求のためのピア・クライアント１０の接続情報については、ステップＳ１０で検索したＩＤコードにより接続サーバ１２に対し接続情報検索要求を行って接続情報を取得し、これを使用してピア・クライアント１０に対する特化個人情報の収集要求を行う。
【００７１】
ＩＰサーバ１４からの特化個人情報の収集要求を受けたピア・クライアント１０は、ステップＳ１２で許可されている受信チャネルのパスワードを使用したパスワード照合による収集承認処理を行った後、既に編集の済んでいる特化個人情報データＤ３をＩＰサーバ１４に送る。
特化個人情報データＤ３の送信を受けたＩＰサーバ１４は、ステップＳ１３で特化個人情報データベース４６の登録内容と比較し、未登録であれば受信した特化個人情報をそのままデータベースに登録し、既に登録済みであれば変更のあった部分についての更新登録を行う。
【００７２】
この図１３に示す公開個人情報登録処理１９４及び特化個人情報登録処理２００が済むと、図１５のＩＰサーバ１４からピア・クライアント１０に対する必要な情報提供の処理に移行する。
図１４のＩＰサーバ１４に特化個人情報を登録した後の情報提供の処理は、接続開始処理２０６、情報受信処理２０８及び接続終了処理２１０となる。まず接続開始処理２０６にあっては、ステップＳ１でピア・クライアント１０のインターネット１６に対する接続開始を行うと、図５に示した接続情報９４が自動生成され、利用者ＩＤ、ＩＰアドレス、及び許可された受信チャネル情報を含む接続情報データＤ１が接続サーバ１２に送信され、ステップＳ３で接続状況データベース３６に対するレコード追加による登録が行われる。
【００７３】
続いて情報受信処理２０８に移行する。情報受信処理２０８にあっては、ＩＰサーバ１４側で既に登録されたピア・クライアント１０の利用者Ａさんの希望する「不動産取引」の特化個人情報に合致する物件が見つかり、ステップＳ４で送信情報が発生する。この送信情報の発生があると、ステップＳ５でＩＰサーバ１４は接続サーバ１２に対し送信先問合せとして問合せデータＤ２によりピア・クライアント１０の接続の有無、送信の可否などの問合せを行う。
【００７４】
具体的には、ＩＰサーバ１４はＩＤコードを使用して接続サーバ１２に対し接続情報の検索要求を行う。この検索要求を受けて接続サーバ１２はステップＳ６で接続状況データベース３６を参照し、該当する接続情報が得られると、ステップＳ７で接続情報の回答をＩＰサーバ１４に対し行う。
ＩＰサーバ１４は、ステップＳ８で送信先ピア・クライアント１０の有効な接続情報を受信すると、ステップＳ９でピア・クライアント１０に対し発生した情報の送信を行う。尚、ステップＳ８で接続サーバ１２からピア・クライアント１０の接続情報が得られなければ、ステップＳ１０に進み、郵送などの個別処理を行う。
【００７５】
ステップＳ９により発生情報の送信データＤ４は、ピア・クライアント１０の宛先チャネル及び送信情報を含むステップＳ１１で受信され、宛先チャネルで指定されたチャネルごとの処理をステップＳ１２で行う。例えば、宛先チャネルが緊急チャネルであれば受信情報をピア・クライアント１０のディスプレイにリアルタイム表示する。また定時確認チャネルであれば一定時刻に情報受信があることを表示し、利用者の操作により読出表示する。
【００７６】
また保存チャネルであれば保存チャネルに格納し、利用者の読出表示を待つ。このような情報受信処理２０８がＩＰサーバ１４で送信情報が発生するごとに繰り返され、ピア・クライアント１０の利用者Ａさんは不動産取引に関する情報を次々と受け取ることができる。
ピア・クライアント１０を使用している利用者Ａさんが場所を移ったり業務を終了するような場合には、接続終了処理２１０を行う。ステップＳ１３でピア・クライアント１０の接続終了を行うと、接続サーバ１２に対し接続終了通知データＤ５が送信され、これを受けて接続サーバ１２はステップＳ１４で接続状況データベース３６の中から接続終了通知を受けたＩＤコードのレコードを削除する。
【００７７】
図１５は図１４の情報受信処理２０８におけるシステム動作の様子を表わしている。まず利用者Ａさんがピア・クライアント１０をインターネット１６に接続すると、ステップＳ１で接続サーバ１２への接続通知が行われ、ピア・クライアント１０の接続情報が接続サーバ１２の接続状況データベース３６に登録される。
【００７８】
この状態でＩＰサーバ１４において、不動産情報データベース４５よりピア・クライアント１０の利用者であるＡさんの特化個人情報に基づく物件要望に合致した情報が得られ、最優先チャネルへの送信が設定される。
そこでＩＰサーバ１４は、ステップＳ３の問合せとして接続サーバ１２に対し、Ａさんに最優先チャネルを使って情報を送るための問合せを行う。具体的には、ＡさんのＩＤコードによる接続情報検索要求を行う。
【００７９】
この問合せに対し、接続サーバ１２は接続状況データベース３６を検索し、ステップＳ４の回答をＩＰサーバ１４に行う。即ちＡさんへの送信が可能であり、現在のＡさんのＩＰアドレスは「ａａａ．ｂｂｂ．ｃｃｃ．ｄｄｄ」であり、最優先チャネルとしての緊急チャネルの使用が許可されていることを知らせる。
ＩＰサーバ１４は、接続サーバ１２から接続情報検索応答としてのステップＳ４の回答を受けると、Ａさんのピア・クライアント１０に対しステップＳ５の接続情報を使用して送信を行い、ステップＳ６で見つかった希望物件の情報を最優先チャネルで送ってディスプレイにリアルタイム表示させる。
【００８０】
更に、希望物件の情報提供のみならず、ＩＰサーバ１４側の不動産業者はピア・クライアント１０の利用者Ａさんの許可を得てＡさんの取引銀行のＩＰサーバに提案物件を送信し、銀行側は住宅ローン案内と資金計画プログラムをピア・クライアント１０のＡさんに送信し、これを受けてＡさんは資金計画を立てることができる。
【００８１】
そして後日、物件の購入が決まった時点でＡさんはピア・クライアント１０から銀行のＩＰサーバに対し資金計画プログラムの出力を送信し、これを受けて銀行は契約書などの必要書類の作成を行い、銀行担当者とＡさんとのアポイントメント調整などを行う。
図１３〜図１５は「不動産取引」を例にとるものであったが、これ以外に外国為替取引、株取引、更には会議スケジュールの調整などの情報提供やサービスにも適用できる。図２のシステムについて例えば株取引での利用を説明すると、次のようになる。
【００８２】
▲１▼ピア・クライアント１０の利用者Ｂさんは、証券取引会社のＩＰサーバ１４の特化個人情報データベース４６に対し次のような特化個人情報の登録を行う。
「連絡すべき時期  Ｘ社の株価が千円になった時点」
▲２▼証券会社のＩＰサーバ１４は相場がＸ社の株価が千円になった時点で接続サーバ１２に対する接続情報の検索要求でインターネット１６におけるＢさんの所在を示す通信情報を獲得して、Ｂさんのピア・クライアント１０に発生した情報を最優先の緊急チャネルで送信し、例えばＢさんのピア・クライアント１０のディスプレイ２６上に通知ウィンドウを立ち上げる。
【００８３】
▲３▼Ｂさんのピア・クライアント１０の通知ウィンドウには、現在の株価、時系列での株価の推移、出来高などの情報が表示される。もちろん、追加情報が欲しければＢさんはＩＰサーバ１４に送信要求を行って入手する。
▲４▼ＩＰサーバ１４から受け取った情報を元にＢさんは売買に関する判断を行い、所定の手続きで売買に関する例えば電子決済を行う。
【００８４】
また図２のシステム構成について、会議スケジュールの調整処理での利用を説明すると次のようになる。
▲１▼会議招集者はピア・クライアント１０で会議招集用に準備された登録フォーマットを使用して例えば招集対象者リスト（ＩＤコード付）、場所の候補、日時の候補などを編集処理により記載し、会議スケジュールの調整処理をサービスとして提供しているＩＰサーバ１４に対し作成済みの会議招集用の登録フォーマットを送信して、特化個人情報データベース４６に登録させる。
【００８５】
▲２▼ＩＰサーバ１４は特化個人情報データベースに登録された会議招集用の登録フォーマットを参照し、招集対象者のＩＤコードによる接続サーバ１２に対する接続情報の検索要求によりインターネット１６上の位置を追跡し、検索応答として得られた招集対象者の接続情報に基づき会議案内及び出欠表を送信する。
▲３▼ＩＰサーバ１４からの会議案内及び出欠表を受信した招集対象者は、出欠表に必要事項を記載もしくは選択してＩＰサーバ１４に送信する。
【００８６】
▲４▼ＩＰサーバ１４は予め設定した締切り期限でそれまでに受信した出欠表を収集し、出席者の場所、日時などの指定情報から会議の詳細を決定する。この決定結果はまず会議招集者に送信され、会議招集者の承認許可を得て最終的に決定される。
▲５▼最終決定された会議の詳細は、会議開催通知としてＩＰサーバ１４から招集対象者に向けて発信される。
３．システム動作の詳細
（１）不動産取引
本発明の情報管理システムにおける処理動作の詳細を、利用者Ａさんが新規に住宅を取得するために不動産情報を求め、この求めに応じ不動産会社Ｉ社とＪ社が情報提供を行う場合を例にとって詳細に説明する。
【００８７】
図１６及び図１７は、利用者Ａさんがピア・クライアント１０を使用して不動産情報を求めるための公開個人情報を接続サーバ１２のデータベースに登録し、接続サーバ１２のデータベースの検索で利用者Ａさんの希望を知った不動産会社Ｉ社のＩＰサーバ１４からの要求で利用者Ａさんが不動産情報を求めるための特化個人情報をＩＰサーバ１４のデータベースに登録するまでの処理手順の詳細である。更に図１８に、図１６及び図１７の処理における接続サーバ１２のデータベースで登録更新される各情報を表わしている。
【００８８】
図１６において利用者Ａさんは、まずピア・クライアント１０を使用してステップＳ１で、図１８（Ｂ）のように公開個人情報１０２を編集し、必須公開項目１４８の必要情報の種類に「不動産」を入力する。またＡさんのＩＤコードは予め割り当てられた「ｘｙｚ」となっている。
続いて利用者Ａさんがピア・クライアント１０でステップＳ２の接続開始を行うと、それに続くステップＳ３でピア・クライアント１０は自動的に利用者ＡさんのＩＤコード「ｘｙｚ」をもつ接続情報を生成して接続サーバ１２に送信し、接続サーバ１２はステップＳ１０１で、ピア・クライアント１０から受信した接続情報のレコードを接続サーバ１２の接続状況データベース３６に登録する。
【００８９】
このときの接続情報は図１８（Ｄ）のように、利用者ＡさんのＩＤコード１２４、ピア・クライアント１０のＩＰアドレス１２８、優先度の最も高い緊急チャネルのパスワード１３２、次に優先度が高い定時確認チャネルのパスワード１３４、優先度が最も低い保存チャネルのパスワード１３６を備えている。
再び図１６を参照するに、ピア・クライアント１０はステップＳ３で接続情報を送信した後に、次のステップＳ４で、既に編集している公開個人情報を接続サーバ１２に送信し、接続サーバ１２はステップＳ１０２で公開個人情報データベース３８に、ピア・クライアント１０から受信した利用者Ａさんの公開個人情報のレコードの更新登録を行う。
【００９０】
ここでピア・クライアント１０側では、公開個人情報以外に図６の接続許可情報９６、図８の接続通知先情報１００、及び図１０の公開個人情報利用許可情報１０４も編集できるが、この場合は図９の公開個人情報１０２のみを編集しており、編集済みの情報を接続サーバ１２に送って更新登録を行っている。
このため図１８（Ｂ）の更新登録されたＡさんの公開個人情報１０２以外の図１８（Ａ）の公開個人情報利用許可情報１０４、図１８（Ｃ）の接続許可情報９６については、設定値がデフォルト値となったオリジナルのものが登録されている。
【００９１】
再び図１６を参照するに、接続サーバ１２は、ステップＳ１０２でピア・クライアント１０からの利用者Ａさんの公開個人情報を受信して更新登録を行うと、図１８（Ｂ）の登録済みの利用者Ａさんの公開個人情報を参照し、必要情報の種類として「不動産」を認識し、「不動産」に対応して予め定めた特化個人情報登録のための登録フォームをステップＳ１０３でピア・クライアント１０に送信する。
【００９２】
接続サーバ１２から登録フォームの送信を受けたピア・クライアント１０の利用者Ａさんは、ステップＳ５で、必要があれば受信した「不動産」用の特化個人情報登録用の登録フォームに必要な事項を入力する編集処理を行う。もちろん登録フォームの編集は、後にＩＰサーバ１４側から特化個人情報登録フォームの送信要求を受けた際に行ってもよい。
【００９３】
一方、不動産会社Ｉ社のＩＰサーバ１４は手動操作あるいは定期的に、ステップＳ２０１で接続サーバ１２に対しアクセス許可のあるＩＤコードの検索要求を行う。この検索要求を受けて接続サーバ１２は、ステップＳ１０４で、公開個人情報データベース３８に登録している各公開個人情報利用許可情報を検索し、アクセス許可を行っているＩＰサーバホスト名に該ＩＰサーバ名が登録されているＩＤコードを検索してＩＰサーバ１４に応答する。
【００９４】
このとき利用者Ａさんについては、図１８（Ａ）に示すオリジナルの公開個人情報利用許可情報１０４がデータベースに登録されており、必須公開項目許可情報１７０の許可ＩＰサーバホスト名については、全てのＩＰサーバについてのアクセスを許容するデフォルト値「Ａｌｌ」となっていることから、接続サーバ１２による検索によって利用者ＡさんのＩＤコード「ｘｙｚ」がＩＰサーバ１４に送信される。
【００９５】
このようなアクセス許可ＩＤの検索要求により、ＩＰサーバ１４からは利用者ＡさんのＩＤコード「ｘｙｚ」を含めて多数の利用者のアクセス許可を行っているＩＤコードが得られる。しかしながら、この段階では利用者が求めている情報が「不動産」かどうかはＩＰサーバ１４側においては分からない。
そこでＩＰサーバ１４は、ステップＳ２０２で、検索できたアクセス許可を表明している利用者のＩＤコードによる公開個人情報の検索要求を接続サーバ１２に対し行う。この検索要求を受けると接続サーバ１２は、ステップＳ１０５で、検索対象となったＩＤコードの公開個人情報を読み出し、その必須公開項目に記入されている必要情報の種類に関する情報を応答する。
【００９６】
例えばステップＳ２０２で利用者ＡさんのＩＤコード「ｘｙｚ」による公開個人情報の検索要求を行うと、接続サーバ１２はステップＳ１０５で、図１８（Ｂ）の公開個人情報１０２を検索し、その必須公開項目１４８の必要情報の種類に記入されている「不動産」をＩＰサーバ１４に応答する。
ＩＰサーバ１４は、公開個人情報の検索要求に対する応答について、ステップＳ２０３で必要情報の種別を認識し、ステップＳ２０４で検索を終了するまで、獲得したアクセス許可のＩＤコードによる公開個人情報の検索要求を繰り返す。公開個人情報の検索が終了すると、ステップＳ２０５で、必要情報の種類「不動産」について絞り込まれたＩＤコードを使用して接続サーバ１２に対し接続情報検索要求を行う。
【００９７】
このとき不動産会社Ｉ社のＩＰサーバ１４は、利用者ＡさんのＩＤコードを使用して接続サーバ１２に対し接続情報検索要求を行う。この検索要求を受けた接続サーバ１２は、図１７のステップＳ１０６で検索要求を受け付ける。接続サーバ１２に対するＩＰサーバ１４からの接続情報の検索要求は、情報提供側のＩＰサーバ１４よりランダムに行われており、ステップＳ１０６の検索受付にあっては、受付順に検索要求を保持して古い順に順次処理を行うことになる。
【００９８】
ステップＳ１０６の検索受付が済むと、次のステップＳ１０７で、接続サーバ１２は利用者ＡさんのＩＤコード「ｘｙｚ」をもつ図１８（Ｃ）の接続許可情報９６を参照し、保存チャネル１４２の許可ＩＰサーバホスト名「Ａｌｌ」が許可されていることを認識し、次のステップＳ１０８で図１８（Ｄ）のオリジナルの接続情報９４について、図１８（Ｅ）のように、許可されている保存チャネルのパスワード１３６のみを残し、許可されていない緊急チャネルのパスワード１３２及び定時確認チャネルのパスワード１３４についてはマスク２１２，２１４によるマスク処理を施し、ＩＤコード１２４及びＩＰアドレス１２８と共にＩＰサーバ１４に応答する。
【００９９】
このためＩＰサーバ１４は、接続サーバ１２によるＩＤコード「ｘｙｚ」による接続情報の検索要求の応答で、更にＩＰアドレスと受信許可を行っている保存チャネルのパスワードを知ることができる。しかしながら、この段階ではＩＤコード「ｘｙｚ」の利用者がＡさんであることは不明である。
次にＩＰサーバ１４はステップＳ２０６で、検索で得られた図１８（Ｅ）の接続情報９４−２に基づく宛先チャネルとチャネルパスワードを使用してピア・クライアント１０に対し送信許可要求を行う。この送信許可要求を受けたピア・クライアント１０は、ステップＳ６で受信許可チャネルのパスワードの照合を行い、照合一致が得られるとステップＳ７で送信許可をＩＰサーバ１４に行う。
【０１００】
送信許可を受けたＩＰサーバ１４は、ステップＳ２０７でピア・クライアント１０に対し編集済みの特化個人情報登録フォームの送信要求を行う。この送信要求はステップＳ８で、許可チャネルとなっている保存チャネルに格納される。その後にピア・クライアント１０の利用者Ａさんが保存チャネルの受信情報をステップＳ９で読出表示して、ＩＰサーバ１４からの編集済み登録フォームの送信要求を知り、不動産会社Ｉ社からの情報の提供を受けるため、ステップＳ１０で、既に編集済みの特化個人情報登録フォームをＩＰサーバ１４に送信する。
【０１０１】
この登録フォームの送信を受けてＩＰサーバ１４は、自己の特化個人情報データベース４６に利用者Ａさんから送られてきた特化個人情報を登録する。この特化個人情報は、例えば
▲１▼住宅の種類「マンション」
▲２▼予算「５０００万円」
▲３▼場所「東京都内」
といった情報である。
このようなＩＰサーバ１４に対する利用者Ａさんの特化個人情報の登録が済むとＩＰサーバ１４は、図２に示したように、情報作成モジュール４４において特化個人情報データベース４６に登録されている利用者Ａさんの条件に合致する物件の発生を監視しており、希望に合致する物件が得られると利用者Ａさんのピア・クライアント１０に対し発生した不動産情報を送信する。
【０１０２】
このときの不動産情報の送信も、図１６のステップＳ２０５から図１７のステップＳ２０７までの編集済み登録フォームの送信要求の場合と同様、接続サーバ１２に対し利用者ＡさんのＩＤコードによる接続情報の検索要求により現時点での利用者Ａさんの接続情報を得た後に送信許可要求を行い、パスワード照合で送信許可が得られたら、そのとき許可されている保存チャネルに対し発生した不動産情報を送信する処理を繰り返す。
【０１０３】
このような不動産会社Ｉ社に対する利用者Ａさんの特化個人情報の登録と同様に、利用者Ａさんは別の不動産会社Ｊ社についても同様にして特化個人情報の登録を行い、その結果、不動産会社Ｉ社及びＪ社より利用者Ａさんの特化個人情報の登録に合致する物件に関する不動産情報が不動産会社側における必要情報の発生と同時に利用者Ａさんのピア・クライアント１０に送信されてくるようになる。
【０１０４】
図１９は、不動産会社Ｉ社とＪ社からの保存チャネルに対する不動産情報の送信内容を見て利用者Ａさんが不動産会社Ｉ社の情報をリアルタイムで受信表示できるように公開個人情報を変更した場合の処理である。まず利用者Ａさんはピア・クライアント１０において、ステップＳ１に示すように、不動産会社Ｉ社からの不動産情報をリアルタイム受信表示できる接続許可ファイルを編集し、緊急チャネルの使用を許可する。
【０１０５】
即ち図２０（Ａ）の接続許可情報９６のように、緊急チャネル許可情報１３８における「許可ＩＰサーバホスト名」に「不動産会社群」をセットする。そしてステップＳ２でピア・クライアント１０をインターネット１６に接続すると、ステップＳ３で接続情報を自動生成して接続サーバ１２に送信してステップＳ１０１で接続情報の更新登録を行うと同時に、ステップＳ４で編集済みの接続許可情報を接続サーバ１２に送信し、ステップＳ１０２で接続許可情報の更新登録が行われる。
【０１０６】
この緊急チャネルの使用を許可した接続許可情報の更新登録後に、不動産会社Ｉ社のＩＰサーバ１４側でステップＳ２０１のように送信したい不動産情報が発生すると、ステップＳ２０２で利用者ＡさんのＩＤコード「ｘｙｚ」を使用した接続情報の検索要求を行う。この検索要求に対し接続サーバ１２は、ステップＳ１０３で検索受付を行い、ステップＳ１０４で接続許可情報を参照する。
【０１０７】
このとき図２０（Ａ）のように緊急チャネル接続許可情報１３８の許可ＩＰサーバホスト名として「不動産会社Ｉ社」のＩＰサーバホスト名がセットされていることから、接続サーバ１２はステップＳ１０５で接続情報の緊急チャネルパスワードに関するマスク処理を解除したマスク処理によりＩＰアドレスと緊急チャネルのパスワードをＩＰサーバ１４に応答する。
【０１０８】
即ち図２０（Ｃ）のオリジナルの接続情報９４−１について、図２０（Ａ）の接続許可情報９６に基づき緊急チャネルのパスワード１３２のマスクを外して公開し、定時確認チャネルのパスワード１３４についてのみマスク２１４を施した接続情報９４−２をＩＰサーバ１４に応答する。
このためＩＰサーバ１４は、ステップＳ２０３で割当チャネルとして緊急チャネルのチャネルパスワードを使用した送信許可要求をピア・クライアント１０に対し行い、ステップＳ５のパスワード照合に基づく送信許可を受けて、ステップＳ２０４で情報をピア・クライアント１０の緊急チャネルに送信し、ステップＳ６でピア・クライアント１０は緊急チャネルで受信した情報をディスプレイ上に例えばウィンドウで立ち上げてリアルタイム表示する。
【０１０９】
図２１は、情報受信が頻繁に行われた結果、利用者Ａさんが不動産会社Ｉ社からの不動産情報に基づき対象物件を決めて商談を行うことを決め、その旨を不動産会社Ｉ社に電子メールや本システムで伝えたうえで、不動産会社Ｉ社からの連絡は積極的に受信するが他の不動産会社Ｊ社からの送信は拒否することにした場合の処理である。
【０１１０】
即ちピア・クライアント１０の利用者Ａさんは、ステップＳ１で不動産会社Ｉ社を交渉先に選択し不動産会社Ｊ社の送信を拒否する旨を決め、それまでのやり取りで不動産会社Ｉ社にもその旨が伝わっているものとする。
ステップＳ２において、公開個人情報利用許可情報の編集を行う。即ち図２３で接続サーバ１２に登録されている利用者Ａさんの公開個人情報利用許可情報１０４のように、オプション公開項目許可情報１７２における「許可ＩＰサーバホスト名」に「不動産会社Ｉ社ＩＰサーバホスト名」２１６をセットして利用者Ａさんの公開個人情報１０２のオプション公開項目１５０の公開許可をセットする。
【０１１１】
更にアクティブ公開１７４を「する」にセットし、ピア・クライアント１０を接続サーバ１２に接続した際に、このアクティブ公開１７４の「する」に基づいて不動産会社群の複数のＩＰサーバ１４に対し公開個人情報に変更があったことを積極的に知らせる。
このアクティブ公開１７４を「する」にしたときのＩＰサーバに対する提供情報は、図２３の公開個人情報１０２のＩＤコード１２４と必須公開項目１４８を含む情報を送信する。
【０１１２】
再び図２１を参照するに、ステップＳ２で公開個人情報利用許可情報の編集が済むと、ステップＳ３で公開個人情報の編集を行う。例えば図２３の接続サーバ１２の公開個人情報１０２のように公開個人情報利用許可情報１０４の編集でオプション公開項目１５０が公開されたことから、オプション公開項目１５０に利
用者Ａさんは自己のメールアドレス１６６として「ａａ
【０１１３】
ｂｂ．ｃｃ．ｄｄ」を入力し、また氏名１５６に「Ａ」を入力する。
このため、この編集済みの公開個人情報１０２のオプション公開項目１５０を得ることでＩＰサーバ１４−１の不動産会社Ｉ社は初めて利用者がＡさんであることを認識できる。次に図２１のステップＳ４で、接続許可情報の編集を行う。この場合、緊急チャネルを不動産会社Ｉ社のみに許可し、定時確認チャネル及び保存チャネルについては不動産会社Ｊ社を拒否する。
【０１１４】
即ち図２３の接続サーバ１２の接続許可情報９６のように、緊急チャネル１３８の許可ＩＰサーバホスト名２１８に「Ｉ社」をセットし、定時確認チャネル１４０及び保存チャネル１４２の拒否ＩＰサーバホスト名２２０，２２２にはそれぞれ「Ｊ社」を入力する。
次に図２１のステップＳ５で、接続通知先情報の編集により次回以降インターネット１６への接続を行った際に、不動産会社Ｉ社に接続した旨を通知するように指定する。即ち図２３の接続サーバ１２の接続通知先情報１００のように、接続通知先のＩＰサーバホスト名１４６として「Ｉ社ＩＰサーバホスト名」をセットする。
【０１１５】
このようなステップＳ２〜Ｓ５の各情報の編集が済むと、ステップＳ６でインターネット１６への接続を開始すると、ステップＳ７で接続情報の自動生成による送信及び既に編集済みの各情報の送信が接続サーバ１２に対し行われ、ステップＳ１０１で各情報の更新登録がデータベースに対し行われる。
このとき図２３の接続サーバ１２の公開個人情報利用許可情報１０４のように、利用者ＡさんのＩＤコード「ｘｙｚ」についてアクティブ公開１７４が「する」にセットされていることから、このアクティブ公開を認識し、ステップＳ１０２で不動産会社群の複数のＩＰサーバ１４側に対し接続サーバ１２におけるデータベース登録情報に変更があったことを通知する。
【０１１６】
このアクティブ公開に基づく変更通知を受けた不動産会社群の複数のＩＰサーバ１４にあっては、特化個人情報データベースに利用者ＡさんのＩＤコード「ｘｙｚ」の特化個人情報が登録されている場合にはこれを削除する。また、図２３のＩ社ＩＰサーバ１４−１のような公開個人情報１０２を取得し、これによってＩＤコード「ｘｙｚ」の利用者がＡさんであり、またそのメールアドレスを知ることができる。
【０１１７】
また図２１のステップＳ２０２で不動産会社Ｉ社が送信したい情報が発生した場合には、図２２のステップＳ２０３で検索ＩＤにより接続情報検索要求を接続サーバ１２に対し行うと、ステップＳ１０３における検索受付、接続先情報参照、接続許可情報参照に基づくマスク処理を経て利用者Ａさんの接続情報が送信され、ＩＰサーバ１４はステップＳ２０４で接続情報を取得する。
【０１１８】
この不動産会社Ｉ社の取得した利用者Ａさんの接続情報は、図２３のＩ社のＩＰサーバ１４−１の接続情報９４−１のように緊急チャネル、定時確認チャネル及び保存チャネルの全チャネルについてパスワードが公開されており、不動産会社Ｉ社のＩＰサーバ１４−１にあっては、必要と思われるチャネルを使用した情報の送信が可能となる。
【０１１９】
一方、通常は特化個人情報データベースからＩＤコード「ｘｙｚ」が削除または不活性化されているため起こらないが、故意または過失により図２２のステップＳ３０１で別の不動産会社Ｊ社で送信したい情報が発生した場合、ステップＳ３０２で利用者Ａさんの「ｘｙｚ」を使用して接続情報の検索要求を接続サーバ１２に対し行う。この検索要求に対し接続サーバ１２は、ステップＳ１０４で、同様に検索受付、接続先情報参照、接続許可情報参照を行って接続情報に対するマスク処理を施した後に送信する。
【０１２０】
不動産会社Ｊ社のＩＰサーバ１４−２にあっては、ステップＳ３０３で接続情報を獲得する。その内容は、図２３のＪ社ＩＰサーバ１４−２の接続情報９４−２のように「ネット上に不在」となっている。
即ち、接続サーバ１２に登録されている公開個人情報１０２は、必須公開項目１４８の不要情報の種類１５４が「不動産」にセットされていることから、Ｊ社ＩＰサーバ１４−２の得られる公開個人情報１０２−２は必要情報の種類が「なし」となっており、これによって利用者ＡさんのＩＤコード「ｘｙｚ」は不動産に関する情報を提供しているＪ社ＩＰサーバ１４−２のアクセス対象から結果として除外されることになる。これを認識した時点で特化個人情報データベース４８からＩＤコード「ｘｙｚ」のレコードを削除することが望ましい。
【０１２１】
また通常有り得ない故意または過失によるＪ社のＩＰサーバ１４−２からのＩＤコード「ｘｙｚ」を指定した接続情報の検索要求に対しては、接続サーバ１２の接続許可情報９６において、緊急チャネル１３８、定時確認チャネル１４０及び保存チャネル１４２の全てについて不動産会社Ｊ社が「拒否ＩＰサーバホスト名」に登録されており、この結果、オリジナルの接続情報９４における全てのチャネルのパスワードがマスク処理されてしまう。
【０１２２】
この結果、Ｊ社ＩＰサーバ１４−２にあっては、ＩＤコード「ｘｙｚ」による検索要求の応答として接続情報９４−２のような「ネット上に不在」しか受けることができず、結果として利用者Ａさんに対する情報の送信が拒否される。これを数回続けた時点で特化個人情報データベース４８からＡさんのＩＤコード「ｘｙｚ」のレコードが削除されることが望ましい。
（２）会議スケジュール調整
図２４，図２５及び図２６は、図２に示した本発明の情報管理システムで会議スケジュールを調整する際のシステム動作の詳細である。
【０１２３】
図２４において会議招集者はピア・クライアント１０を使用して、ステップＳ１で必要情報を「会議」とする公開個人情報を編集し、ステップＳ２でインターネット１６に対する接続を開始し、ステップＳ３で、接続情報の自動生成による送信で接続サーバ１２のステップＳ１０１に接続情報の更新登録を行い、次のステップＳ４で既に編集済みの必要情報「会議」の公開個人情報を送信し、接続サーバ１２にステップＳ１０２で公開個人情報の更新登録を行う。
【０１２４】
この必要情報「会議」とする公開個人情報の更新登録に基づき、接続サーバ１２はステップＳ１０３で会議用登録フォームをピア・クライアント１０に送信してくる。このフォームを受けてピア・クライアント１０の会議招集者は、ステップＳ５で登録フォームの編集を行う。例えば招集対象者リスト（ＩＤコードを含む）、場所の候補、日時の候補、議題などを入力する。
【０１２５】
一方、会議スケジュールの調整サービスを提供しているＩＰサーバ１４側にあっては、ステップＳ２０１で接続サーバ１２に対しアクセス許可を行っているＩＤコードの検索要求を行い、これを受けて接続サーバ１２はステップＳ１０４で公開個人情報利用許可情報を参照してＩＤコードを応答する。
この検索ＩＤコードについてＩＰサーバ１４は、ステップＳ２０２で公開個人情報の検索要求を行い、接続サーバ１２によるステップＳ１０５の公開個人情報の検索による必須部分の応答を受け、ステップＳ２０３で必要情報として「会議」を登録しているＩＤコードを認識する。
【０１２６】
ステップＳ２０４で検索終了を判別すると、ステップＳ２０５でステップＳ２０３で検索したＩＤコードによる接続情報の検索要求を接続サーバ１２に対し行い、図２５のステップＳ１０６で接続サーバ１２が検索受付を行い、ステップＳ１０７で接続許可情報を参照し、ステップＳ１０８で接続情報のマスク処理によりＩＰアドレス保存チャネルパスワードを接続情報としてＩＰサーバ１４に応答する。
【０１２７】
次にＩＰサーバ１４は、ステップＳ２０６でピア・クライアント１０に対し送信許可要求を行い、ステップＳ６のパスワード照合に基づくステップＳ７の送信許可を受けて、ステップＳ２０７で編集済み会議用登録フォームの送信要求を行う。
ピア・クライアント１０はステップＳ８でフォーム送信要求を保存チャネルに格納し、その後、会議招集者がステップＳ９で保存チャネルの受信内容を読出表示し、ステップＳ１０で編集済みの登録フォームをＩＰサーバ１４に送信する。ＩＰサーバ１４はステップＳ２０８で、ピア・クライアント１０から送信された会議用登録フォームを特化個人情報データベースに登録する。
【０１２８】
続いて図２６のステップＳ２０９でＩＰサーバ１４は登録済みの会議用登録フォームを参照し、会議招集者のＩＤコードを得て、このＩＤコードによる接続情報の検索要求を接続サーバ１２に対し行う。接続情報の検索要求に対し接続サーバ１２は、ステップＳ１０９で検索を受け付け、ステップＳ１１０で接続許可情報を参照し、ステップＳ１１１で接続情報のマスク処理によりＩＰアドレスと例えば緊急チャネルのパスワードを応答する。
【０１２９】
そこでＩＰサーバ１４は、ステップＳ２１０で宛先チャネルを保存チャネルとしたチャネルパスワードによる送信許可要求を行う。この送信許可要求は、ある会議対象者のピア・クライアント１０で受信され、ステップＳ１１−１のようにパスワード照合による送信許可が出され、これに応じてＩＰサーバ１４はステップＳ２１１で会議案内及び出欠表を送信し、ステップＳ１２−１でピア・クライアント１０側の保存チャネルに受信させる。
【０１３０】
この保存チャネルでの情報受信に対し、その後、会議対象者がステップＳ１３−１で保存チャネルの会議案内を読み出して出欠表を編集してＩＰサーバ１４に送信する。ＩＰサーバ１４は、ステップＳ２１２で出欠表の集計を行っており、ステップＳ２１３で予め定めた期日や出席人数などの締切り条件を満足するまで、ステップＳ２０９からの処理を繰り返す。
【０１３１】
ステップＳ２１３で締切りが判別されるとステップＳ２１４に進み、既に集計できた出欠表の内容から会議の詳細即ち出席対象者、場所、日時、議題を決め、会議招集者及び会議対象者について接続サーバ１２に対する検索要求で、ステップＳ１１２のように接続情報検索応答を受けながら、会議対象者及び会議招集者に対しピア・クライアント１０のステップＳ１４−１〜Ｓ１４−ｎに示すように会議の詳細を送って受信させる。
【０１３２】
ここでＩＰサーバ１４は、ステップＳ２１４で会議の詳細を決定したならば、まず会議のスケジュール要求を行った会議招集者に決定した内容の会議開催通知を送信し、会議招集者の確認を受けた後に会議対象者に送信することが望ましい。
４．装置の処理機能
次に図２に示した利用者装置としてのピア・クライアント１０、接続管理装置としての接続サーバ１２、及び情報提供装置としてのＩＰサーバ１４のそれぞれの処理機能を説明する。
（１）ピア・クライアント
図２７は図２のピア・クライアント１０の処理動作の概略フローチャートである。ピア・クライアント処理にあっては、ステップＳ１で特化個人情報の新規登録か否かをチェックしており、特化個人情報の新規登録であればステップＳ２の特化個人情報の登録処理に進み、新規登録でなければステップＳ３でＩＰサーバからの情報受信処理を行う。
【０１３３】
図２８は図２７におけるステップＳ２の特化個人情報の登録処理の詳細なフローチャートである。この特化個人情報登録処理にあっては、まずステップＳ１で公開個人情報及び公開個人情報許可情報の編集を行い、ステップＳ２でインターネット１６への接続開始を判別すると、ステップＳ３で接続情報を自動生成して接続サーバ１２に送信し、次にステップＳ４で編集済み公開個人情報、公開個人情報許可ファイルを送信して接続サーバ１２のデータベースに登録させる。
【０１３４】
続いてステップＳ５で接続サーバ１２から特化個人情報登録フォームを受信し、必要に応じて編集する。続いてステップＳ６でＩＰサーバからの保存チャネルに対する登録フォームの送信要求の有無をチェックしている。
送信要求があると、ステップＳ７で登録フォームの編集済みの有無をチェックし、編集していなければステップＳ８で登録フォームを編集してステップＳ９に進み、編集済みであれば直ちにステップＳ９に進み、編集済み登録フォームをＩＰサーバ１４に送信して特化個人情報データベース４８に登録させる。
【０１３５】
続いてステップＳ１０でインターネット１６からの接続終了準備の有無をチェックしており、接続終了準備を認識するとステップＳ１１で接続サーバ１２に対し接続終了通知を送信し、接続状況データベース３６からの自己の接続情報９４の削除を指示した後、実際に接続終了処理を行い処理を終了する。
図２９は図２７のピア・クライアント処理におけるステップＳ３のＩＰサーバからの情報受信処理の詳細なフローチャートである。まずステップＳ１で受信モードの変更をチェックしている。この受信モードの変更は、ピア・クライアント１０のメニュー画面における受信モードの変更操作の有無をチェックしている。
【０１３６】
受信モードの変更がなければ、図２８の特化個人情報登録処理の際に設定されたオリジナルの接続サーバ１２の接続状況データベース３６及び公開個人情報データベース３８の内容に従ったステップＳ２からの処理を行う。即ちステップＳ２で保存チャネルに情報受信があるか否かチェックし、もし情報受信があれば、ステップＳ３で利用者の読出操作に基づいて受信情報の読出表示を行う。
【０１３７】
そしてステップＳ４で接続終了準備を認識すると、ステップＳ５で接続サーバ１２に接続終了通知を行って接続状況データベース３６から接続情報９４を削除させ、実際に接続を終了する。ステップＳ１で受信モードの変更が判別されると、ステップＳ６で緊急チャネルを許可する随時受信か受信を拒否する受信拒否かを判別する。
【０１３８】
随時受信であればステップＳ７に進み、接続許可情報登録フォーマット５２を使用した編集により緊急チャネルの使用を許可する。もちろん緊急チャネルの使用許可に伴って必要ならば、公開個人情報登録フォーマット５６や公開個人情報利用許可情報登録フォーマット５８について登録内容の変更のための編集を行ってもよい。
編集後にステップＳ８でインターネット１６に対する接続を開始すると、ステップＳ９で接続情報の自動生成による接続サーバ１２への送信を行った後、ステップＳ１０で編集済みの接続許可情報を含む各情報の送信を行い、接続サーバ１２側の接続状況データベース３６及び公開個人情報データベース３８の更新登録を行わせる。
【０１３９】
続いてステップＳ１１でモード変更済みの緊急チャネルに情報受信があると、ステップＳ１２でディスプレイ上にリアルタイム表示する。続いてステップＳ１３で接続終了準備の有無をチェックしており、接続終了でなければステップＳ１４でモード変更の有無をチェックし、ステップＳ１１からの処理を繰り返す。
モード変更があればステップＳ１の処理に戻る。ステップＳ１３でインターネット１６からの接続終了準備が認識されると、ステップＳ１５で接続終了通知を接続サーバ１２に行って接続情報９４のデータベースからの削除を行わせ、実際に接続を終了する。ステップＳ６で受信モードの変更に伴って特定のＩＰサーバに対する受信拒否のメニューが選択された場合には、ステップＳ１６に進み、公開個人情報利用許可情報、公開個人情報接続許可情報、接続通知先情報の各ファイルの編集を、例えば図２３の接続サーバ１２の登録情報の不動産会社Ｊ社のように編集する。
【０１４０】
ステップＳ１７でインターネット１６への接続開始を行うと、ステップＳ１８で接続情報の自動生成による接続サーバ１２への送信を行った後、ステップＳ１９で編集済みの各情報を送信し、接続サーバ１２の接続状況データベース３６及び公開個人情報データベース３８を更新登録し、これによって特定のＩＰサーバからの情報受信を拒否する。
（２）接続サーバ
図３０は図２の接続管理装置として機能する接続サーバ１２の処理機能の概略フローチャートである。この接続サーバの処理は、ステップＳ１のピア・クライアント１０による特化個人情報登録に対する対応処理、ステップＳ２のＩＰサーバ１２によるアクセス許可、クライアントの検索要求に対する対応処理、更にステップＳ３のＩＰサーバ１４によるクライアント接続情報検索要求に対する対応処理に分けることができる。
【０１４１】
図３１のステップＳ１から図３２のステップＳ１４は、図３０のステップＳ１のピア・クライアント１０による特化個人情報登録に対する対応処理である。まず図３１のステップＳ１でピア・クライアント１０からの送信の有無をチェックしており、ピア・クライアント１０からの送信があると、ステップＳ２で接続情報の受信を待って、ステップＳ３で受信した接続情報の接続状況データベース３６に対する登録を行う。
【０１４２】
続いてステップＳ４で接続情報削除要求の受信か否かチェックし、もし接続情報削除要求の受信であれば、ステップＳ５で接続状況データベース３６から接続要求を受けた接続情報を削除する。続いてステップＳ６で接続許可情報の受信か否かチェックし、接続許可情報の受信であれば、ステップＳ７で接続状況データベース３６に対する接続許可情報の更新登録を行う。この場合、接続許可情報の更新登録は変更のあった部分についてのみ行えばよい。
【０１４３】
次にステップＳ８で公開個人情報の受信を判別すると、ステップＳ９で公開個人情報の変更部分についての更新登録を行う。公開個人情報の更新登録があり、このとき新たに必要情報の種類について更新が行われると、その内容に応じステップＳ１０で、対応する登録フォームをピア・クライアント１０に送信する。
ステップＳ１１で公開個人情報利用許可情報を受信すると、ステップＳ１２で公開個人情報データベース３８について公開個人情報利用許可情報の変更部分についての更新登録を行う。この公開個人情報利用許可情報の更新登録において、図３２のステップＳ１３でアクティブ公開ありが判別されると、ステップＳ１４で、指定されたＩＰサーバに対し情報提供者ファイルを使用して接続状況及び公開個人情報に登録、更新、削除などの変更があったことを通知する。
【０１４４】
図３２のステップＳ１５〜Ｓ１９は、図３０におけるステップＳ２のＩＰサーバによるアクセス許可を行っているクライアントの検索要求の対応処理である。ステップＳ１５でＩＰサーバ１４からの送信を判別すると、ステップＳ１６に進み、公開個人情報利用許可情報１０４の検索要求であれば、ステップＳ１７で公開個人情報利用許可情報１０４を検索して、該ＩＰサーバのホスト名に対してアクセス許可をセットしているピア・クライアント１０のＩＤコードを応答する。
【０１４５】
またステップＳ１８で検索済みのＩＤコードを指定した公開個人情報の検索要求を判別すると、ステップＳ１９でＩＤコードで指定された公開個人情報を検索し、検索した公開個人情報の必須公開項目となっている「必要情報の種類」をＩＰサーバ１４に応答する。このステップＳ１５〜Ｓ１９の処理は、図２の接続サーバ１２における利用者検索応答部８２により行われる。
【０１４６】
図３２のステップＳ２０から図３３のステップＳ３０は、図３０のステップＳ３のＩＰサーバ１４によるクライアント接続情報の検索要求に対する対応処理である。
図３２のステップＳ２０で、ＩＰサーバ１４よりＩＤコードを指定した接続情報の検索要求を接続情報検索応答部８４で受けると、検索受付部８６にステップＳ２１で検索要求を登録する。続いてステップＳ２２で検索受付部８６に未処理があると、ステップＳ２３で未処理の検索要求を取り出し、接続許可参照部８８が図３３のステップＳ２４で接続許可情報９６を参照する。
【０１４７】
続いて接続情報検索応答部８４は、ステップＳ２５で接続状況データベース３６にＩＤコードに該当する接続情報９４が存在するか否かチェックする。存在すればステップＳ２６で該当する接続情報を接続許可情報に基づいてマスク処理し、ＩＤコードと共にピア・クライアント１０のＩＰアドレスと許可チャネルのパスワード等の接続情報を応答する。
【０１４８】
一方、ステップＳ２５でＩＤコードで指定される接続情報が存在しない場合には、ステップＳ２９に進み、ＩＰサーバにネット上の不在を応答し、これに対するＩＰサーバからの接続待ち登録要求を受けて、ステップＳ２９で接続待ち情報９８にＩＰサーバホスト名を登録する。
またステップＳ２７でマスク処理後、接続情報で全ての情報がマスクされたと判別した場合には、ピア・クライアント１０側からの要求で情報の送信が拒否されていることからステップＳ２９に進み、前述の処理を行う。
【０１４９】
このような一連の処理が済むと、ステップＳ３１で接続サーバ１２の装置停止の有無をチェックし、装置停止でなければ再び図３１のステップＳ１に戻って処理を繰り返す。ステップＳ３１で装置停止が判別されると、ステップＳ３２で停止処理を行うことになる。
図３４は図２の接続サーバ１２の接続状況データベース３６に登録された接続待ち情報９８に基づく接続待ち処理である。接続サーバ１２の接続情報検索応答部８４は、ピア・クライアント１０のインターネット１６への接続開始に伴う接続情報の新規登録があると、新規登録された接続情報のＩＤコードにより接続待ち情報９８を参照し、ステップＳ２で接続待ちのＩＰサーバの有無をチェックする。
【０１５０】
接続待ちのＩＰサーバがあれば、ステップＳ３でＩＤコードに対応する接続許可情報の参照に基づき、対応する接続情報をマスク処理して、接続待ちにあるＩＰサーバ１４に通知する。ステップＳ４でＩＰサーバに対する接続情報の正常終了を認識すると、ステップＳ５で接続待ち情報９８からの接続待ちの登録を削除する。
【０１５１】
ステップＳ３で接続待ちのＩＰサーバに接続情報を通知しても、このときＩＰサーバ側がネットに存在していない場合にはステップＳ４の正常終了とはならず、ステップＳ５の接続待ちの削除が行われずに接続待ち情報９８における登録はそのまま維持される。
（３）ＩＰサーバ
図３５は図２の情報提供装置として機能するＩＰサーバ１４の処理の概要である。このＩＰサーバ処理は、ステップＳ１の接続サーバ１２に対するアクセス許可クライアントの検索処理、ステップＳ２のピア・クライアント１０に対する特化個人情報の登録処理、及びステップＳ３のピア・クライアント１０に対する必要情報の送信処理に分かれる。
【０１５２】
図３６のステップＳ１〜Ｓ３は、図３５のステップＳ１の接続サーバ１２に対するアクセス許可または公開個人情報の検索処理である。まずステップＳ１でアクセス許可または公開個人情報の検索が判別されると、ステップＳ２で接続サーバ１２にアクセス許可のＩＤコードの検索またはＩＤコードに基づく公開個人情報の検索を要求する。続いてステップＳ３で、検索されたアクセス許可のＩＤコードまたはＩＤコードに対応する公開個人情報の必須公開項目の「必要情報の種類」を受領する。
【０１５３】
図３６のステップＳ４〜Ｓ１２は、図３５のステップＳ２におけるピア・クライアント１０に対する特化個人情報の登録処理である。ステップＳ４で特化個人情報の登録を判別すると、ステップＳ５で接続サーバ１２にピア・クライアント１０のＩＤコードを指定した接続情報の検索要求を行う。
ステップＳ６で接続情報を受領すると、ステップＳ７でピア・クライアント１０がネット上に存在するか否かチェックし、存在すれば、ステップＳ８でピア・クライアント１０の保存チャネルのパスワードにより送信許可要求を行う。ステップＳ９で送信許可を受領すると、ステップＳ１０でピア・クライアント１０の保存チャネルに編集済みの特化個人情報登録フォームの送信要求を行う。
【０１５４】
この送信要求に対しステップＳ１１でピア・クライアント１０より応答があれば、受信した特化個人情報をステップＳ１２で特化個人情報データベース４８に登録する。一方、ステップＳ７でピア・クライアント１０がネット上に存在しなかった場合には、ステップＳ１３で接続サーバ１２の接続待ち情報９８に対する予約登録を行う。
【０１５５】
図３７のステップＳ１４〜Ｓ２０は、図３５のステップＳ３におけるピア・クライアント１０に対する必要情報の送信処理である。ステップＳ１４で特化個人情報データベース４８に登録している特化個人情報の内容に合致する送信したい情報が発生すると、ステップＳ１５で送信先のピア・クライアント１０のＩＤコードを指定して接続サーバ１２に対し接続情報の検索要求を行う。ステップＳ１６で接続情報を受領すると、ステップＳ１７でピア・クライアント１０がネット上に存在していることを確認した後、ステップＳ１８で宛先チャネルとして許可されている緊急チャネル、定時確認チャネルまたは保存チャネルのいずれかのパスワードの送信により送信許可要求を行い、ステップＳ１９で送信許可を受領した後、ステップＳ２０で宛先チャネルに情報送信を行う。
【０１５６】
またステップＳ１７でネット上に存在しなければ、接続サーバ１２の接続待ち情報９８にＩＰサーバホスト名の予約登録を行う。一連の必要情報の送信処理が済むと、ステップＳ２２でＩＰサーバの装置停止の有無をチェックし、装置停止でなければ再びステップＳ１に戻って一連の処理を繰り返す。装置停止であればステップＳ２３で停止処理を行った後、一連の処理を終了する。
【０１５７】
尚、上記の実施形態は、不動産取引、株式取引、会議スケジュール調整などの情報提供やサービス提供を例にとるものであったが、本発明は提供する情報やサービスの種類に限定されず、適宜の情報提供やサービス提供につきそのまま適用できる。またオープンネットワーク環境としてインターネットを例にとるものであったが、それ以外の任意のオープンネットワーク環境であってもよいことはもちろんである。
【０１５８】
更に本発明は、情報管理システムを構築するインターネット１６により相互に通信可能に接続されたピア・クライアント１０、ＩＰサーバ１４、及び接続サーバ１２の各々の制御プログラムを記憶したコンピュータで実行可能な記録媒体を提供するものであるが、この場合の記録媒体の提供形態としては、ピア・クライアント１０、ＩＰサーバ１４、及び接続サーバ１２のＲＡＭやハードディスク等のメモリに記憶された形態、ＣＤ−ＲＯＭやフロッピー等の可搬媒体に記憶して各々にロードする場合、さらにはプログラム提供者が通信回線を回して各装置に提供する形態等が含まれる。
【０１５９】
更に本発明は上記の実施形態に限定されず、本発明の目的を損わない範囲で適宜の変形を含むものである。
【０１６０】
【発明の効果】
以上説明してきたように本発明によれば、利用者装置として機能するピア・クライアントが情報提供装置として機能するＩＰサーバを選択して必要な情報の提供を受けるというクライアント主導の形態をとっており、情報の提供を希望する利用者はＩＰサーバからのコンタクトに必要な最小限の情報を公開するだけで複数のＩＰサーバからの情報提供を受けることができる。
【０１６１】
また情報の提供を希望する利用者は、通信に必要な接続情報と情報の種類という必要最小限のアクセス許可を開示するだけで複数のＩＰサーバ側からの初期的なコンタクトを受け、この初期的なコンタクトに対し利用者は情報提供先を選んで必要な特化個人情報を送ることで情報やサービスの提供を受けることができ、多数のＩＰサーバに従来のようにむやみに個人情報を公開しなくとも、情報提供先を容易に選択して適切な情報を受けることができる。
【０１６２】
また特定の情報提供先のＩＰサーバに対する特化個人情報の登録を行っておくと、その後は必要な情報が発生するごとにリアルタイムでＩＰサーバからの情報提供が行われ、情報提供の鮮度を大幅に高めることができ、例えば株式取引や外国為替取引などのリアルタイムでの情報を必要とする場合にも適切に対応できる。
【０１６３】
更に、ＩＰサーバに特化個人情報を登録して情報提供を受けた後も途中で情報提供をクライアント側から拒否することができ、情報の提供のみならず、提供されている情報の拒否についても利用者側に主導権をもたせることで情報管理システムの使い易さを高めている。
【図面の簡単な説明】
【図１】本発明の原理説明図
【図２】本発明のシステム構成のブロック図
【図３】本発明のシステム構成装置の機能ブロック図
【図４】資格認証情報の説明図
【図５】接続情報の説明図
【図６】接続許可情報の説明図
【図７】接続待ち情報の説明図
【図８】接続通知先情報の説明図
【図９】公開個人情報の説明図
【図１０】公開個人情報利用許可情報の説明図
【図１１】登録フォームの説明図
【図１２】情報提供者ファイルの説明図
【図１３】不動産情報の提供サービスのシステム動作の概略説明図
【図１４】公開個人情報と特化個人情報の編集・登録の動作説明図
【図１５】利用者接続情報の検索と利用情報送信の概略的な動作説明図
【図１６】利用者装置からの接続開始から特化情報登録までの動作説明図
【図１７】利用者装置からの接続開始から特化情報登録までの動作説明図（続き）
【図１８】図１６〜図１７の処理に伴う接続管理装置のデータベース説明図
【図１９】情報提供を随時とする接続管理装置のデータベース更新登録の説明図
【図２０】図１９の処理に伴う接続管理装置のデータベース説明図
【図２１】情報提供の許可と拒否を制御した際の動作説明図
【図２２】情報提供の許可と拒否を制御した際の動作説明図（続き）
【図２３】図２２の処理に伴う接続管理装置のデータベース更新登録とＩＰサーバの取得情報の説明図
【図２４】会議スケジュールのサービス提供を受けるシステム動作の説明図
【図２５】会議スケジュールのサービス提供を受けるシステム動作の説明図（続き）
【図２６】会議スケジュールのサービス提供を受けるシステム動作の説明図（続き）
【図２７】ピア・クライアント処理の概略フローチャート
【図２８】ピア・クライアントの特化個人情報登録処理のフローチャート
【図２９】ピア・クライアントの情報受信処理のフローチャート
【図３０】接続サーバの概略フローチャート
【図３１】接続サーバの特化個人情報登録の対応処理のフローチャート
【図３２】接続サーバのアクセス許可検索要求と接続情報検索要求の対応処理のフローチャート
【図３３】接続サーバの接続情報検索要求の対応処理（続き）のフローチャート
【図３４】接続サーバの接続待ち処理のフローチャート
【図３５】ＩＰサーバの概略フローチャート
【図３６】ＩＰサーバのアクセス許可検索と特化個人情報登録のフローチャート
【図３７】ＩＰサーバの必要情報送信処理のフローチャート
【符号の説明】
１０：利用者装置（ピア・クライアント）
１２：接続管理装置（接続サーバ）
１４：情報提供装置（ＩＰサーバ）
１６：インターネット（オープン・ネットワーク環境）
１８：個人情報管理モジュール
２０，４０：通信管理モジュール
２２−１〜２２−ｎ：受信チャネル
２４：ブラウザ（表示処理部）
２６：ディスプレイ
２８：個人情報ファイル
３０：ローカルファイル
３２：接続状況管理モジュール
３４：公開個人情報管理モジュール
３５：クレデンシャルデータベース
３６：接続状況データベース
３８：公開個人情報データベース
３９：登録フォームデータベース
４０：情報提供者データベース
４２：情報収集モジュール
４４：情報作成モジュール
４６：特化個人情報データベース
４８：接続情報処理部
５０：接続情報登録フォーマット
５２：接続許可情報登録フォーマット
５４：公開個人情報処理部
５６：公開個人情報登録フォーマット
５８：公開個人情報利用許可情報
６０：接続通知先情報フォーマット
６２：特化個人情報処理部
６４：受信表示部
６６：緊急チャネル
６８：定時確認チャネル
７０：保存チャネル
７２，７４，１１０：通信制御部
７６：接続情報管理部
７８：公開個人情報管理部
８０：登録フォーマット提供部
８２：利用者検索応答部
８４：接続情報検索応答部
８６：検索受付部
８８：接続許可参照部
９０：接続通知先参照部
９１：マスク処理部
９２：接続情報送信部
９４：接続情報
９６：接続許可情報
９８：接続待ち情報
１００：接続通知先情報
１０２：公開個人情報
１０４：公開個人情報利用許可情報
１０６：登録フォーム
１０８：情報提供者ファイル
１１２：利用者検索要求部
１１４：接続情報検索要求部
１１６：特化個人情報管理部
１２０：提供情報管理部
１２２：資格認証情報
１２４：ＩＤコード
１２６：パスワード
１２８：ＩＰアドレス
１３０：接続時刻
１３２：緊急チャネルのパスワード
１３４：定時確認チャネルのパスワード
１３６：保存チャネルのパスワード
１３８：緊急チャネル
１４０：定時確認チャネル
１４２：保存チャネル
１４４，１４６：ＩＰサーバホスト名
１４８：必須項目
１５０：オプション項目
１５２：必要情報の種類
１５４：不要情報の種類
１５６：氏名
１５８：住所
１６０：電話番号
１６２：ＦＡＸ
１６６：メールアドレス
１６８：その他
１７０：必須項目
１７２：オプション項目
１７４：アクティブ公開
１８４：情報の種類
１８６：特化個人情報登録フォーム
１８８：ＩＰ名（情報提供者名称）
１９０：提供情報の種類
１９２：ＩＰサーバホスト名
１９４：公開個人情報登録処理
１９６：接続処理
１９８：定常時処理
２００：特化個人情報登録処理
２０２：登録表作成更新処理
２０４：収集処理
２０６：接続開始処理
２０８：情報受信処理
２１０：接続終了処理
【図１】
0003564262.tif 000002
【図２】
0003564262.tif 000003
【図３】
0003564262.tif 000004
【図４】
0003564262.tif 000005
【図５】
0003564262.tif 000006
【図６】
0003564262.tif 000007
【図７】
0003564262.tif 000008
【図８】
0003564262.tif 000009
【図９】
0003564262.tif 000010
【図１０】
0003564262.tif 000011
【図１１】
0003564262.tif 000012
【図１２】
0003564262.tif 000013
【図１３】
0003564262.tif 000014
【図１４】
0003564262.tif 000015
【図１５】
0003564262.tif 000016
【図１６】
0003564262.tif 000017
【図１７】
0003564262.tif 000018
【図１８】
0003564262.tif 000019
【図１９】
0003564262.tif 000020
【図２０】
0003564262.tif 000021
【図２１】
0003564262.tif 000022
【図２２】
0003564262.tif 000023
【図２３】
0003564262.tif 000024
【図２４】
0003564262.tif 000025
【図２５】
0003564262.tif 000026
【図２６】
0003564262.tif 000027
【図２７】
0003564262.tif 000028
【図２８】
0003564262.tif 000029
【図２９】
0003564262.tif 000030
【図３０】
0003564262.tif 000031
【図３１】
0003564262.tif 000032
【図３２】
0003564262.tif 000033
【図３３】
0003564262.tif 000034
【図３４】
0003564262.tif 000035
【図３５】
0003564262.tif 000036
【図３６】
0003564262.tif 000037
【図３７】
0003564262.tif 000038